(57)【要約】【課題】印刷画像に画像欠陥が発生した場合に効率的に不良ノズルを特定することができる画像検査装置及び方法、プログラム並びにインクジェット印刷システムを提供する。【解決手段】画像検査装置は、シングルパス方式のインクジェット印刷装置を用いて記録媒体の第１領域に記録された不良ノズル検知用のパターンを読み取った第１読取画像のデータを解析して、不良ノズル検知用のパターンの記録に用いられたライン型のインクジェットヘッドの不良ノズルを検知し、不良ノズル検知結果の履歴を履歴情報保存部に保存する。記録媒体の第２領域に記録された印刷画像の第２読取画像のデータを解析して、印刷画像の画像欠陥を検知し、検知された画像欠陥に関する情報と履歴情報保存部に保存されている履歴情報とを照合して画像欠陥の原因となった不良ノズルを特定する。【選択図】図１２
2018051846.tif 000002
【特許請求の範囲】
【請求項１】
シングルパス方式のインクジェット印刷装置を用いて記録媒体の第１領域に記録された不良ノズル検知用のパターンと前記記録媒体の前記第１領域とは異なる領域である第２領域に前記インクジェット印刷装置を用いて記録された印刷画像とを画像読取装置によって読み取ることで得られる読取画像のデータを取得する読取画像取得部と、
前記不良ノズル検知用のパターンの前記読取画像である第１読取画像のデータを解析して、前記不良ノズル検知用のパターンの記録に用いられたライン型のインクジェットヘッドにおける不良ノズルを検知する不良ノズル検知処理部と、
前記不良ノズル検知処理部によって得られた不良ノズル検知結果の履歴を保存する履歴情報保存部と、
前記印刷画像の前記読取画像である第２読取画像のデータを解析して、前記印刷画像の画像欠陥を検知する画像欠陥検知処理部と、
前記画像欠陥検知処理部によって検知された画像欠陥に関する情報と前記履歴情報保存部に保存されている履歴情報とを照合して前記画像欠陥の原因となった不良ノズルを特定する不良ノズル特定処理部と、
を備える画像検査装置。
【請求項２】
前記インクジェット印刷装置が１種類以上の印刷画像を複数枚連続で印刷する連続印刷中に、
前記読取画像のデータを取得する処理と、
前記不良ノズルを検知する処理と、
前記不良ノズル検知結果の履歴を保存する処理と、
前記画像欠陥を検知する処理と、
前記不良ノズルを特定する処理と、
が実施される請求項１に記載の画像検査装置。
【請求項３】
前記不良ノズル特定処理部は、
前記画像欠陥検知処理部によって検知された画像欠陥に関する情報の色相解析から、前記画像欠陥の原因となったインク色を推定して得られるインク色の推定情報と、
前記画像欠陥検知処理部によって検知された画像欠陥に関する情報の座標解析から、前記画像欠陥の原因となったノズルの概略のノズル番号を推定して得られる概略のノズル番号の推定情報と、
前記画像欠陥検知処理部によって検知された画像欠陥が発生したタイミングを示す時間情報と、
のうち少なくとも１つの情報を用いて、前記履歴情報から前記不良ノズルを特定する処理を行う請求項１又は２に記載の画像検査装置。
【請求項４】
前記不良ノズル特定処理部は、
前記画像欠陥検知処理部によって検知された画像欠陥に関する情報の色相解析を行うことにより、前記画像欠陥の原因となったインク色を推定するインク色推定部と、
前記画像欠陥検知処理部によって検知された画像欠陥に関する情報の座標解析を行うことにより、前記画像欠陥の原因となったノズルの概略のノズル番号を推定する概略ノズル番号推定部と、
前記インク色推定部によって推定したインク色の推定情報を基に、前記履歴情報の中から該当するインク色の不良ノズル検知結果のデータのうち最新のデータを含む１つ以上のデータを抽出し、かつ、前記履歴情報の中から前記概略ノズル番号推定部によって推定した概略のノズル番号を含む複数の連続するノズル番号のノズル範囲の不良ノズル検知結果のデータを抽出する履歴データ照合部と、
前記履歴データ照合部により抽出されたデータから不良ノズルを特定する不良ノズル判断部と、
を備える請求項３に記載の画像検査装置。
【請求項５】
前記画像欠陥を検知する処理及び前記不良ノズルを特定する処理の実施後に処理結果を示す情報を可視化してユーザに提供する情報提供部を備え、
前記情報提供部は、
前記インクジェット印刷装置によって出力された出力画像と、
前記画像欠陥検知処理部によって検知された画像欠陥箇所を前記出力画像上に可視化した画像欠陥可視化情報と、
前記画像欠陥の発生箇所を示す情報と、
前記画像欠陥の発生タイミングを示す情報と、
前記不良ノズルを特定する処理による不良ノズル特定結果を示す情報と、
のうち１つ以上の情報を提供する請求項１から４のいずれか一項に記載の画像検査装置。
【請求項６】
前記画像欠陥は、シングルパス方式による記録の際の前記インクジェットヘッドと前記記録媒体との相対移動方向である走査方向に伸びるスジ欠陥である請求項１から５のいずれか一項に記載の画像検査装置。
【請求項７】
シングルパス方式のインクジェット印刷装置と、
前記インクジェット印刷装置に設けられた画像読取装置と、
前記インクジェット印刷装置の動作を制御する制御装置と、
請求項１から６のいずれか一項に記載の画像検査装置と、
を含むインクジェット印刷システム。
【請求項８】
前記画像欠陥の原因となった不良ノズルが特定された場合に、不良ノズルに起因する画像欠陥を抑制する画質補正処理を行う補正処理部を備える請求項７に記載のインクジェット印刷システム。
【請求項９】
前記インクジェット印刷装置が１種類以上の印刷画像を複数枚連続で印刷する連続印刷中に行われた前記不良ノズル特定処理部による処理の結果、不良ノズルの特定に至らなかった場合に、
前記制御装置は、前記連続印刷の途中に割り込んでテストチャートを出力させる割り込み処理の制御を行う請求項７又は８に記載のインクジェット印刷システム。
【請求項１０】
前記割り込み処理によって出力されるテストチャートの少なくとも１つは、不良ノズルを特定するためのラインパターンを含んだ不良ノズル特定チャートであり、
前記制御装置は、出力された前記不良ノズル特定チャートを前記画像読取装置によって読み取ることで得られる第３読取画像のデータを解析した結果を、前記割り込み処理によるテストチャート出力後に、前記連続印刷中の前記印刷画像の印刷処理に反映させる請求項９に記載のインクジェット印刷システム。
【請求項１１】
前記割り込み処理によって出力されるテストチャートの少なくとも１つは、前記連続印刷中に出力予定であった１種以上の印刷画像の画像内にテストチャートが組み込まれた合成画像によるチャートである請求項９から１０のいずれか一項に記載のインクジェット印刷システム。
【請求項１２】
前記連続印刷中に出力予定であった１種以上の印刷画像のうちいずれか１つ以上のものに対し、第１画像処理を適用して第１画像処理済み画像データを生成する第１画像処理部と、
割り込み出力用のテストチャートのデータに対し、第２画像処理を適用して第２画像処理済み画像データを生成する第２画像処理部と、
前記第１画像処理済み画像データ及び前記第２画像処理済み画像データに対して画像合成処理を適用して合成画像データを生成する画像合成処理部と、
を備える請求項１１に記載のインクジェット印刷システム。
【請求項１３】
前記画像欠陥検知処理部によって検知された画像欠陥の検知情報に基づき、前記割り込み出力用のテストチャートのデータを生成するテストチャート生成部を備える請求項１２に記載のインクジェット印刷システム。
【請求項１４】
前記第１画像処理の内容と前記第２画像処理の内容が異なる請求項１２又は１３に記載のインクジェット印刷システム。
【請求項１５】
前記割り込み処理によって出力されるテストチャートの少なくとも１つは、前記画像欠陥であるスジ欠陥を抑制する画像補正処理に用いる補正パラメータを調整するための調整用チャートであり、
前記制御装置は、出力された前記調整用チャートを前記画像読取装置によって読み取ることで得られる第４読取画像のデータを解析した結果を、前記割り込み処理によるテストチャート出力後に、前記連続印刷中の前記印刷画像の印刷処理に反映させる請求項９から１４のいずれか一項に記載のインクジェット印刷システム。
【請求項１６】
前記画像欠陥の原因となった不良ノズルの特定に成功した場合に、不良ノズル特定成功後の出力対象の前記印刷画像に対して適用する画質補正処理であって前記画像欠陥を抑制する第１画質補正処理と、
前記画像欠陥の原因となった不良ノズルの特定に失敗した場合に、不良ノズル特定成功後の出力対象の前記印刷画像に対して適用する画質補正処理であって前記画像欠陥を抑制する第２画質補正処理と、のそれぞれの画質補正処理の処理内容が異なる請求項９から１５のいずれか一項に記載のインクジェット印刷システム。
【請求項１７】
シングルパス方式のインクジェット印刷装置を用いて記録媒体の第１領域に記録された不良ノズル検知用のパターンと前記記録媒体の前記第１領域とは異なる領域である第２領域に前記インクジェット印刷装置を用いて記録された印刷画像とを画像読取装置によって読み取ることで得られる読取画像のデータを取得する読取画像取得工程と、
前記不良ノズル検知用のパターンの前記読取画像である第１読取画像のデータを解析して、前記不良ノズル検知用のパターンの記録に用いられたライン型のインクジェットヘッドにおける不良ノズルを検知する不良ノズル検知処理工程と、
前記不良ノズル検知処理工程によって得られた不良ノズル検知結果の履歴を履歴情報保存部に保存する履歴情報保存工程と、
前記印刷画像の前記読取画像である第２読取画像のデータを解析して、前記印刷画像の画像欠陥を検知する画像欠陥検知処理工程と、
前記画像欠陥検知処理工程によって検知された画像欠陥に関する情報と前記履歴情報保存部に保存されている履歴情報とを照合して前記画像欠陥の原因となった不良ノズルを特定する不良ノズル特定処理工程と、
を含む画像検査方法。
【請求項１８】
コンピュータに、
シングルパス方式のインクジェット印刷装置を用いて記録媒体の第１領域に記録された不良ノズル検知用のパターンと前記記録媒体の前記第１領域とは異なる領域である第２領域に前記インクジェット印刷装置を用いて記録された印刷画像とを画像読取装置によって読み取ることで得られる読取画像のデータを取得する読取画像取得工程と、
前記不良ノズル検知用のパターンの前記読取画像である第１読取画像のデータを解析して、前記不良ノズル検知用のパターンの記録に用いられたライン型のインクジェットヘッドにおける不良ノズルを検知する不良ノズル検知処理工程と、
前記不良ノズル検知処理工程によって得られた不良ノズル検知結果の履歴を履歴情報保存部に保存する履歴情報保存工程と、
前記印刷画像の前記読取画像である第２読取画像のデータを解析して、前記印刷画像の画像欠陥を検知する画像欠陥検知処理工程と、
前記画像欠陥検知処理工程によって検知された画像欠陥に関する情報と前記履歴情報保存部に保存されている履歴情報とを照合して前記画像欠陥の原因となった不良ノズルを特定する不良ノズル特定処理工程と、
を実行させるためのプログラム。
【発明の詳細な説明】
【技術分野】
【０００１】
本発明は、画像検査装置及び方法、プログラム並びに印刷システムに係り、特にシングルパス方式のインクジェット印刷装置によって印刷される画像の画質異常を検知する画像検査技術に関する。
【背景技術】
【０００２】
画像形成技術の１つであるデジタルプリンティングの分野において、シングルパス方式により描画を行うインクジェット印刷装置が実用化されている。インクジェットを用いたシングルパス方式の印刷方式をシングルパスインクジェット方式という。シングルパスインクジェット方式は、複数のノズルが高密度に配置されたライン型のインクジェットヘッドを、記録媒体に対して相対的に１回だけ走査させて、その走査領域の画像の記録を完成させる。
【０００３】
シングルパスインクジェット方式は、インクジェットヘッドのノズルから吐出される液滴が飛翔曲がりを起こしたり、ノズルが不吐出状態になったりなどすると、印刷された画像上の該当部分においてスジムラが発生する。スジムラは、スジ状の濃淡として現れる画像欠陥である。このようなスジ状の画像欠陥をスジ欠陥という。
【０００４】
かかるスジ欠陥を抑制するためには、不良ノズルを特定し、不良ノズルの状態に応じた画質補正処理などの対処が必要となる。画質補正処理の例として、不良ノズルを不吐化して周囲のノズルを用いて記録を補う不吐出補正技術が知られている。特許文献１には不吐出補正技術が記載されている。
【０００５】
また、不良ノズルを特定する技術として、ラダーパターンと呼ばれるテストチャートを印刷し、ラダーパターンの印刷結果を画像解析する技術が知られている。ラダーパターンは、インクジェットヘッドのノズル列について、いわゆる「１オンｎオフ」の吐出制御によって、各ノズルが連続吐出動作を行うことで形成されるノズルごとの描画ラインが並ぶラインパターンである。
【０００６】
特許文献２には、ラダーパターンの印刷結果をＣＣＤ（charge-coupled device）センサなどの画像読取装置を用いて読み取ることにより得られる読取画像のデータを画像解析することで、不良ノズルを特定する技術が示されている。特許文献２に記載の不良ノズルを特定する技術は、不良状態になっているノズルの位置及び不良状態の詳細を把握することができる。その結果、的確に不良ノズルに対する画質補正を実施することが可能となる。
【０００７】
一方、印刷された画像からスジ欠陥の発生を検知する技術として、特許文献３には、見本画像情報と、印刷装置を用いて印刷を行うことにより得られた印刷物に含まれる画像を読取部により読み取って得られた検査対象画像情報との差分値に基づいて、印刷物にスジ欠陥が発生しているか否かを判断する方法が示されている。特許文献３の読取部は本明細書における「画像読取装置」に対応する用語と理解される。
【０００８】
特許文献３に記載の技術によれば、印刷物の印刷画像からスジ欠陥の発生有無を迅速かつ的確に判断することができる。
【先行技術文献】
【特許文献】
【０００９】
【特許文献１】特許第５４５７３０７号明細書
【特許文献２】特開２０１３−０６９００３号公報
【特許文献３】特開２０１５−１７９０９０号公報
【発明の概要】
【発明が解決しようとする課題】
【００１０】
しかしながら、特許文献２に記載の不良ノズルを特定する技術には、次のような課題がある。
【００１１】
［課題１］ラダーパターンの印刷結果から不良ノズルを検知したからといって、必ずしも印刷ジョブにて印刷対象として指定されている連続印刷中のユーザ画像の該当箇所にスジ欠陥が発生している保証はない。例えば、不良ノズルの該当箇所に用いられるインク量が少ない等の理由で、多少の飛翔曲がりが生じていてもスジ欠陥の視認性に影響しない可能性がある。
【００１２】
また、ユーザが求める印刷物の要求品質の観点で見た際に、程度の軽いスジ欠陥であれば、印刷物の画質として許容される可能性がある。このような場合に、過剰に不良ノズルを検知して印刷物の印刷品質不良判断処理を行ったり、不良ノズルに対処した画質補正処理などを行ったりしてしまうと、生産性を損ねる懸念があり、また、過剰の画質補正が作用する結果、逆に補正後の画質を悪化させてしまう懸念がある。
【００１３】
［課題２］連続印刷中に不良ノズルを検知する場合、不良ノズル検知用のラダーパターンは、記録媒体におけるユーザ画像の描画領域を避けて、その外側領域である余白部分に印刷される。ラダーパターンの描画領域の面積は余白部分に制限されるため、インクジェット印刷装置に備えたインク色ごとのインクジェットヘッドの全色かつ全ノズル分のラダーパターンを１枚にまとめて印刷することが困難である。したがって、連続印刷中に不良ノズルを検知する場合には、インクの色別にラダーパターンを印刷するページを変えるなど、複数枚の記録媒体に分割してラダーパターンが印刷される。このため、連続印刷中においては不良ノズルの特定に時間がかかってしまう。また、不良ノズルの特定に時間がかかることによって、その期間、画質補正が間に合わず、印刷不良の損紙が増えてしまう。
【００１４】
一方で、特許文献３に記載のスジの発生有無を判断する技術には、次のような課題がある。
【００１５】
［課題３］特許文献３に記載の技術では、印刷されたユーザ画像にスジ欠陥が発生しているか否かを判断することはできるものの、スジ欠陥の発生の原因となっている不良ノズルの特定には至らない。これはインクジェットヘッドのノズル密度から規定される記録解像度に比べて、印刷結果を読み取るスキャナ等の画像読取装置の読取解像度が低解像度であることに起因する。
【００１６】
記録解像度よりも低解像度の画像読取装置を採用した場合、印刷画像内のスジ情報から、およその不良ノズルの発生位置と、およその不良ノズルの発生色は絞り込むことは可能である。しかし、特許文献３に記載の技術では、特許文献２に記載の技術とは異なり、不良状態になっている特定の不良ノズルを確定的に絞り込むまでには至らない。そのため、特許文献３に記載の技術によって得られるスジ情報から不良ノズルに対する画質補正を的確に実施することは困難である。
【００１７】
本開示は、このような事情に鑑みてなされたもので、上述した複数の課題の少なくとも１つを解決する画像検査装置及び方法、プログラム並びにインクジェット印刷システムを提供することを目的とする。
【課題を解決するための手段】
【００１８】
上記の目的を達成するために、次の発明態様を提供する。
【００１９】
本開示の第１態様に係る画像検査装置は、シングルパス方式のインクジェット印刷装置を用いて記録媒体の第１領域に記録された不良ノズル検知用のパターンと記録媒体の第１領域とは異なる領域である第２領域にインクジェット印刷装置を用いて記録された印刷画像とを画像読取装置によって読み取ることで得られる読取画像のデータを取得する読取画像取得部と、不良ノズル検知用のパターンの読取画像である第１読取画像のデータを解析して、不良ノズル検知用のパターンの記録に用いられたライン型のインクジェットヘッドにおける不良ノズルを検知する不良ノズル検知処理部と、不良ノズル検知処理部によって得られた不良ノズル検知結果の履歴を保存する履歴情報保存部と、印刷画像の読取画像である第２読取画像のデータを解析して、印刷画像の画像欠陥を検知する画像欠陥検知処理部と、画像欠陥検知処理部によって検知された画像欠陥に関する情報と履歴情報保存部に保存されている履歴情報とを照合して画像欠陥の原因となった不良ノズルを特定する不良ノズル特定処理部と、を備える。
【００２０】
第１態様の画像検査装置によれば、記録媒体に記録された印刷画像に画像欠陥が発生したことが検知された場合に、その画像欠陥の原因となった不良ノズルが特定される。このため、画像欠陥が検知されない状況で不良ノズルを特定する処理の無駄を抑制でき、効率的に的確な画像検査を行うことができる。
【００２１】
第２態様として第１態様の画像検査装置において、インクジェット印刷装置が１種類以上の印刷画像を複数枚連続で印刷する連続印刷中に、読取画像のデータを取得する処理と、不良ノズルを検知する処理と、不良ノズル検知結果の履歴を保存する処理と、画像欠陥を検知する処理と、不良ノズルを特定する処理と、が実施される構成とすることができる。
【００２２】
第３態様として第１態様又は第２態様の画像検査装置において、不良ノズル特定処理部は、画像欠陥検知処理部によって検知された画像欠陥に関する情報の色相解析から、画像欠陥の原因となったインク色を推定して得られるインク色の推定情報と、画像欠陥検知処理部によって検知された画像欠陥に関する情報の座標解析から、画像欠陥の原因となったノズルの概略のノズル番号を推定して得られる概略のノズル番号の推定情報と、画像欠陥検知処理部によって検知された画像欠陥が発生したタイミングを示す時間情報と、のうち少なくとも１つの情報を用いて、履歴情報から不良ノズルを特定する処理を行う構成とすることができる。
【００２３】
第４態様として第３態様の画像検査装置において、不良ノズル特定処理部は、画像欠陥検知処理部によって検知された画像欠陥に関する情報の色相解析を行うことにより、画像欠陥の原因となったインク色を推定するインク色推定部と、画像欠陥検知処理部によって検知された画像欠陥に関する情報の座標解析を行うことにより、画像欠陥の原因となったノズルの概略のノズル番号を推定する概略ノズル番号推定部と、インク色推定部によって推定したインク色の推定情報を基に、履歴情報の中から該当するインク色の不良ノズル検知結果のデータのうち最新のデータを含む１つ以上のデータを抽出し、かつ、履歴情報の中から概略ノズル番号推定部によって推定した概略のノズル番号を含む複数の連続するノズル番号のノズル範囲の不良ノズル検知結果のデータを抽出する履歴データ照合部と、履歴データ照合部により抽出されたデータから不良ノズルを特定する不良ノズル判断部と、を備える構成とすることができる。
【００２４】
第５態様として第１態様から第４態様のいずれか一態様の画像検査装置において、画像欠陥を検知する処理及び不良ノズルを特定する処理の実施後に処理結果を示す情報を可視化してユーザに提供する情報提供部を備え、情報提供部は、インクジェット印刷装置によって出力された出力画像と、画像欠陥検知処理部によって検知された画像欠陥箇所を出力画像上に可視化した画像欠陥可視化情報と、画像欠陥の発生箇所を示す情報と、画像欠陥の発生タイミングを示す情報と、不良ノズルを特定する処理による不良ノズル特定結果を示す情報と、のうち１つ以上の情報を提供する構成とすることができる。
【００２５】
第６態様として第１態様から第５態様のいずれか一態様の画像検査装置において、画像欠陥は、シングルパス方式による記録の際のインクジェットヘッドと記録媒体との相対移動方向である走査方向に伸びるスジ欠陥である構成とすることできる。
【００２６】
第７態様に係るインクジェット印刷システムは、シングルパス方式のインクジェット印刷装置と、インクジェット印刷装置に設けられた画像読取装置と、インクジェット印刷装置の動作を制御する制御装置と、第１態様から第６態様のいずれか一態様の画像検査装置と、を含んで構成される。
【００２７】
第８態様として第７態様のインクジェット印刷システムにおいて、画像欠陥の原因となった不良ノズルが特定された場合に、不良ノズルに起因する画像欠陥を抑制する画質補正処理を行う補正処理部を備える構成とすることができる。
【００２８】
第８態様によれば、効率的に的確な不良ノズルの特定と画質補正処理を行うことができる。また、第８態様によれば、画像欠陥が検知された際に、早期に画質補正処理を適用することができ、かつ、過剰な画質補正処理の実施が抑制される。
【００２９】
第９態様として第７態様又は第８態様のインクジェット印刷システムにおいて、インクジェット印刷装置が１種類以上の印刷画像を複数枚連続で印刷する連続印刷中に行われた不良ノズル特定処理部による処理の結果、不良ノズルの特定に至らなかった場合に、制御装置は、連続印刷の途中に割り込んでテストチャートを出力させる割り込み処理の制御を行う構成とすることができる。
【００３０】
第１０態様として第９態様のインクジェット印刷システムにおいて、割り込み処理によって出力されるテストチャートの少なくとも１つは、不良ノズルを特定するためのラインパターンを含んだ不良ノズル特定チャートであり、制御装置は、出力された不良ノズル特定チャートを画像読取装置によって読み取ることで得られる第３読取画像のデータを解析した結果を、割り込み処理によるテストチャート出力後に、連続印刷中の印刷画像の印刷処理に反映させる構成とすることができる。
【００３１】
第１１態様として第９態様から第１０態様のいずれか一態様のインクジェット印刷システムにおいて、割り込み処理によって出力されるテストチャートの少なくとも１つは、連続印刷中に出力予定であった１種以上の印刷画像の画像内にテストチャートが組み込まれた合成画像によるチャートである構成とすることができる。
【００３２】
第１２態様として第１１態様のインクジェット印刷システムにおいて、連続印刷中に出力予定であった１種以上の印刷画像のうちいずれか１つ以上のものに対し、第１画像処理を適用して第１画像処理済み画像データを生成する第１画像処理部と、割り込み出力用のテストチャートのデータに対し、第２画像処理を適用して第２画像処理済み画像データを生成する第２画像処理部と、第１画像処理済み画像データ及び第２画像処理済み画像データに対して画像合成処理を適用して合成画像データを生成する画像合成処理部と、を備える構成とすることができる。
【００３３】
第１３態様として第１２態様のインクジェット印刷システムにおいて、画像欠陥検知処理部によって検知された画像欠陥の検知情報に基づき、割り込み出力用のテストチャートのデータを生成するテストチャート生成部を備える構成とすることができる。
【００３４】
第１４態様として第１２態様又は第１３態様のインクジェット印刷システムにおいて、第１画像処理の内容と第２画像処理の内容が異なる構成とすることができる。
【００３５】
第１５態様として第９態様から第１４態様のいずれか一態様のインクジェット印刷システムにおいて、割り込み処理によって出力されるテストチャートの少なくとも１つは、画像欠陥であるスジ欠陥を抑制する画像補正処理に用いる補正パラメータを調整するための調整用チャートであり、制御装置は、出力された調整用チャートを画像読取装置によって読み取ることで得られる第４読取画像のデータを解析した結果を、割り込み処理によるテストチャート出力後に、連続印刷中の印刷画像の印刷処理に反映させる構成とすることができる。
【００３６】
第１６態様として第９態様から第１５態様のいずれか一態様のインクジェット印刷システムにおいて、画像欠陥の原因となった不良ノズルの特定に成功した場合に、不良ノズル特定成功後の出力対象の印刷画像に対して適用する画質補正処理であって画像欠陥を抑制する第１画質補正処理と、画像欠陥の原因となった不良ノズルの特定に失敗した場合に、不良ノズル特定成功後の出力対象の印刷画像に対して適用する画質補正処理であって画像欠陥を抑制する第２画質補正処理と、のそれぞれの画質補正処理の処理内容が異なる構成とすることができる。
【００３７】
第１７態様に係る画像検査方法は、シングルパス方式のインクジェット印刷装置を用いて記録媒体の第１領域に記録された不良ノズル検知用のパターンと記録媒体の第１領域とは異なる領域である第２領域にインクジェット印刷装置を用いて記録された印刷画像とを画像読取装置によって読み取ることで得られる読取画像のデータを取得する読取画像取得工程と、不良ノズル検知用のパターンの読取画像である第１読取画像のデータを解析して、不良ノズル検知用のパターンの記録に用いられたライン型のインクジェットヘッドにおける不良ノズルを検知する不良ノズル検知処理工程と、不良ノズル検知処理工程によって得られた不良ノズル検知結果の履歴を履歴情報保存部に保存する履歴情報保存工程と、印刷画像の読取画像である第２読取画像のデータを解析して、印刷画像の画像欠陥を検知する画像欠陥検知処理工程と、画像欠陥検知処理工程によって検知された画像欠陥に関する情報と履歴情報保存部に保存されている履歴情報とを照合して画像欠陥の原因となった不良ノズルを特定する不良ノズル特定処理工程と、を含む。
【００３８】
第１７態様において、第２態様から第１６態様で特定した事項と同様の事項を適宜組み合わせることができる。その場合、画像検査装置において特定される処理若しくは動作を担う処理部等の要素は、これに対応する処理又は動作の工程（ステップ）の要素として把握することができる。
【００３９】
第１８態様に係るプログラムは、コンピュータに、シングルパス方式のインクジェット印刷装置を用いて記録媒体の第１領域に記録された不良ノズル検知用のパターンと記録媒体の第１領域とは異なる領域である第２領域にインクジェット印刷装置を用いて記録された印刷画像とを画像読取装置によって読み取ることで得られる読取画像のデータを取得する読取画像取得工程と、不良ノズル検知用のパターンの読取画像である第１読取画像のデータを解析して、不良ノズル検知用のパターンの記録に用いられたライン型のインクジェットヘッドにおける不良ノズルを検知する不良ノズル検知処理工程と、不良ノズル検知処理工程によって得られた不良ノズル検知結果の履歴を履歴情報保存部に保存する履歴情報保存工程と、印刷画像の読取画像である第２読取画像のデータを解析して、印刷画像の画像欠陥を検知する画像欠陥検知処理工程と、画像欠陥検知処理工程によって検知された画像欠陥に関する情報と履歴情報保存部に保存されている履歴情報とを照合して画像欠陥の原因となった不良ノズルを特定する不良ノズル特定処理工程と、を実行させるためのプログラムである。
【００４０】
第１８態様において、第２態様から第１６態様で特定した事項と同様の事項を適宜組み合わせることができる。その場合、画像検査装置において特定される処理若しくは動作を担う処理部等の要素は、これに対応する処理若しくは動作の工程（ステップ）をコンピュータに実行させるプログラムの機能の要素として把握することができる。
【発明の効果】
【００４１】
本発明によれば、印刷画像から画像欠陥が検知された場合に不良ノズルの特定が行われるため、効率的に不良ノズルを特定することができる。
【図面の簡単な説明】
【００４２】
【図１】図１は実施形態に係るインクジェット印刷装置の全体構成図である。
【図２】図２はインクジェット印刷装置の制御系の要部構成を示すブロック図である。
【図３】図３はシングルパス方式のインクジェット印刷装置における不良ノズルに起因するスジ欠陥を説明するための模式図である。
【図４】図４はラダーパターンを含む出力画像の例を示す図である。
【図５】図５はラダーパターンの一部を拡大した拡大図である。
【図６】図６は全色かつ全ノズル分のラダーパターンをまとめて描画する場合の例を示す図である。
【図７】図７は図６に示された各色のラダーパターンの一部を拡大した拡大図である。
【図８】図８は全色かつ全ノズル分のラダーパターンを複数枚のページに分割して描画する場合の例を示す概念図である。
【図９】図９は連続印刷中に不良ノズルを特定する方法を実施する際のフローチャートである。
【図１０】図１０はスジ検知アルゴリズムの基本原理を示す説明図である。
【図１１】図１１は連続印刷中に実施されるスジ検知処理のフローチャートである。
【図１２】図１２は第１実施形態に係る画像検査方法における処理の手順を示すフローチャートである。
【図１３】図１３は不良ノズル検知結果履歴データベースの一例を示す概念図である。
【図１４】図１４はスジ検知処理によりスジが検知された場合に、不良ノズル検知結果履歴データベースを利用して不良ノズルを特定する方法の一例を示した模式図である。
【図１５】図１５は不良ノズル検知結果履歴データベースを利用して不良ノズルを特定する不良ノズル特定処理の手順を示したフローチャートである。
【図１６】図１６は制御装置の画像検査機能及び出力用画像生成機能に関する主な構成を示したブロック図である。
【図１７】図１７は画像検査部の機能を提供するブロック図である。
【図１８】図１８は第２実施形態に係る画像検査方法の処理手順を示すフローチャートである。
【図１９】図１９は第２実施形態における出力用画像データ生成部の機能を提供するブロック図である。
【図２０】図２０はオーバーレイ方式による不良ノズル特定チャートの割り込み出力の概要を示す説明図である。
【図２１】図２１はオーバーレイ方式による不良ノズル特定チャートの生成手順を示したフローチャートである。
【図２２】図２２は連続印刷中に画像読取装置によって得られる読取画像のデータの一例である。
【図２３】図２３はオーバーレイ用のテストチャートの元画像データの一例である。
【図２４】図２４はユーザ画像の元画像データの一例である。
【図２５】図２５は画像処理済み印刷画像データの一例である。
【図２６】図２６はオーバーレイ処理を経て生成される出力用画像データの一例である。
【図２７】図２７は不良ノズル特定失敗後の画像処理を含んだ印刷処理の例を示すフローチャートである。
【図２８】図２８は印刷された画像に異常が発見された場合の印刷画像を模式的に表した図である。
【図２９】図２９は不良ノズルの位置を含む異常領域を設定する様子を示した模式図である。
【図３０】図３０は異常領域に対応するノズル範囲に属する第１のノズル群を不吐化して複数不吐補正を行った様子を示す模式図である。
【図３１】図３１は異常領域に対応するノズル範囲に属する第２のノズル群を不吐化して複数不吐補正を行った様子を示す模式図である。
【図３２】図３２はノズル群特定用チャートの一例である。
【図３３】図３３は図３１において不吐化したノズル群のうちの１ノズルの不吐化を解除した例を示す模式図である。
【図３４】図３４は図３１において不吐化したノズル群のうちの１ノズルの不吐化を解除した例を示す模式図である。
【図３５】図３５は図３１において不吐化したノズル群のうちの１ノズルの不吐化を解除した例を示す模式図である。
【図３６】図３６は特定された不良ノズルを不吐化して単独不吐補正を実施した様子を示す模式図である。
【図３７】図３７は単独不吐補正パラメータ算出用チャートの模式図である。
【図３８】図３８は複数不吐補正パラメータ算出用チャートの模式図である。
【図３９】図３９はスジ検知後の不良ノズル特定成否結果をユーザに知らせる情報表示画面の表示内容の一例を示すイメージ図である。
【図４０】図４０はテストチャートの出力の割り込み処理を含む印刷処理の他の例を示すフローチャートである。
【図４１】図４１はオーバーレイ方式によるテストチャートの出力を行うための出力用画像データ生成部の機能を提供するブロック図である。
【発明を実施するための形態】
【００４３】
以下、添付図面に従って本発明の実施の形態について詳説する。
【００４４】
《インクジェット印刷装置の構成例》
図１は、実施形態に係るインクジェット印刷装置１Ａの例を示す全体構成図である。インクジェット印刷装置１Ａは、描画部４０のプリントヘッドとしてライン型のインクジェットヘッド４６Ｃ、４６Ｍ、４６Ｙ、４６Ｋを備え、枚葉紙である用紙Ｐにシアン（Ｃ）、マゼンタ（Ｍ）、イエロー（Ｙ）、及びブラック（Ｋ）の４色のインクを使用して、所望の画像をシングルパス方式で印刷するシングルパスインクジェット方式のカラーデジタル印刷装置である。
【００４５】
インクジェット印刷装置１Ａは、給紙部１０と、処理液塗布部２０と、処理液乾燥部３０と、描画部４０と、インク乾燥部５０と、集積部６０と、を備える。
【００４６】
給紙部１０は、用紙Ｐを１枚ずつ給紙する。給紙部１０は、給紙装置１２と、フィーダボード１４と、給紙ドラム１６と、を備える。用紙Ｐは、多数枚が積み重ねられた束の状態で給紙台１２Ａに載置される。用紙Ｐの種類は、特に限定されないが、例えば、上質紙、コート紙、アート紙などのセルロースを主体とする印刷用紙を用いることができる。用紙Ｐは、画像が記録される記録媒体の一例である。
【００４７】
給紙装置１２は、給紙台１２Ａにセットされた束の状態の用紙Ｐを上から順に１枚ずつ取り出して、フィーダボード１４に給紙する。フィーダボード１４は、給紙装置１２から受け取った用紙Ｐを給紙ドラム１６へと搬送する。
【００４８】
給紙ドラム１６は、フィーダボード１４から給紙される用紙Ｐを受け取り、受け取った用紙Ｐを処理液塗布部２０へと搬送する。
【００４９】
処理液塗布部２０は、用紙Ｐに処理液を塗布する。処理液は、インク中の色材成分を凝集、若しくは不溶化又は増粘させる機能を備えた液体である。処理液塗布部２０は、処理液塗布ドラム２２と、処理液塗布装置２４と、を備える。
【００５０】
処理液塗布ドラム２２は、給紙ドラム１６から用紙Ｐを受け取り、受け取った用紙Ｐを処理液乾燥部３０へと搬送する。処理液塗布ドラム２２は、周面にグリッパ２３を備え、グリッパ２３で用紙Ｐの先端部を把持して回転することにより、用紙Ｐを周面に巻き付けて搬送する。
【００５１】
処理液塗布装置２４は、処理液塗布ドラム２２によって搬送される用紙Ｐに処理液を塗布する。処理液はローラによって塗布される。
【００５２】
処理液乾燥部３０は、処理液が塗布された用紙Ｐを乾燥処理する。処理液乾燥部３０は、処理液乾燥ドラム３２と、温風送風機３４と、を備える。処理液乾燥ドラム３２は、処理液塗布ドラム２２から用紙Ｐを受け取り、受け取った用紙Ｐを描画部４０へと搬送する。処理液乾燥ドラム３２は、周面にグリッパ３３を備える。処理液乾燥ドラム３２は、グリッパ３３で用紙Ｐの先端部を把持して回転することにより、用紙Ｐを搬送する。
【００５３】
温風送風機３４は、処理液乾燥ドラム３２の内部に設置される。温風送風機３４は、処理液乾燥ドラム３２によって搬送される用紙Ｐに温風を吹き当てて、処理液を乾燥させる。
【００５４】
描画部４０は、描画ドラム４２と、ヘッドユニット４４と、画像読取装置４８と、を備える。描画ドラム４２は、処理液乾燥ドラム３２から用紙Ｐを受け取り、受け取った用紙Ｐをインク乾燥部５０へと搬送する。描画ドラム４２は、周面にグリッパ４３を備え、グリッパ４３で用紙Ｐの先端を把持して回転することにより、用紙Ｐを周面に巻き付けて搬送する。描画ドラム４２は、図示しない吸着機構を備え、周面に巻き付けられた用紙Ｐを周面に吸着させて搬送する。吸着には、負圧が利用される。描画ドラム４２は、周面に多数の吸着穴を備え、この吸着穴を介して描画ドラム４２の内部から吸引することにより、用紙Ｐを描画ドラム４２の周面に吸着させる。
【００５５】
ヘッドユニット４４は、インクジェットヘッド４６Ｃ、４６Ｍ、４６Ｙ、４６Ｋを含んで構成される。インクジェットヘッド４６Ｃは、シアン（Ｃ）のインクの液滴を吐出する記録ヘッドである。インクジェットヘッド４６Ｍは、マゼンタ（Ｍ）のインクの液滴を吐出する記録ヘッドである。インクジェットヘッド４６Ｙは、イエロー（Ｙ）のインクの液滴を吐出する記録ヘッドである。インクジェットヘッド４６Ｋは、ブラック（Ｋ）のインクの液滴を吐出する記録ヘッドである。インクジェットヘッド４６Ｃ、４６Ｍ、４６Ｙ、４６Ｋのそれぞれには、対応する色のインク供給源である不図示のインクタンクから不図示の配管経路を介して、インクが供給される。
【００５６】
インクジェットヘッド４６Ｃ、４６Ｍ、４６Ｙ、４６Ｋの各々は、描画ドラム４２によって搬送される用紙Ｐに対して１回の走査によって、つまりシングルパス方式によって、印刷可能なラインヘッドで構成される。インクジェットヘッド４６Ｃ、４６Ｍ、４６Ｙ、４６Ｋは、各々のノズル面が描画ドラム４２の周面に対向して配置される。インクジェットヘッド４６Ｃ、４６Ｍ、４６Ｙ、４６Ｋは、描画ドラム４２による用紙Ｐの搬送経路に沿って一定の間隔をもって配置される。
【００５７】
図には示さないが、インクジェットヘッド４６Ｃ、４６Ｍ、４６Ｙ、４６Ｋの各々のノズル面には、インクの吐出口である複数個のノズルが二次元配列されている。「ノズル面」とは、ノズルが形成されている吐出面をいい、「インク吐出面」或いは「ノズル形成面」などの用語と同義である。二次元配列された複数個のノズルのノズル配列を「二次元ノズル配列」という。
【００５８】
インクジェットヘッド４６Ｃ、４６Ｍ、４６Ｙ、４６Ｋの各々は、複数個のヘッドモジュールを用紙幅方向に繋ぎ合わせて構成することができる。ここでいう用紙幅は、用紙Ｐの搬送方向と直交する方向の用紙幅を指す。インクジェットヘッド４６Ｃ、４６Ｍ、４６Ｙ、４６Ｋの各々は、用紙Ｐの搬送方向と直交する用紙幅方向に関して、用紙Ｐの全記録領域を、１回の走査で規定の記録解像度による画像記録が可能なノズル列を有するライン型の記録ヘッドである。このような記録ヘッドは「フルライン型の記録ヘッド」或いは「ページワイドヘッド」とも呼ばれる。
【００５９】
規定の記録解像度とは、インクジェット印刷装置１Ａによって予め定められた記録解像度であってもよいし、ユーザの選択により、若しくは、印刷モードに応じたプログラムによる自動選択により設定される記録解像度であってもよい。記録解像度として、例えば、１２００ｄｐｉとすることができる。「ｄｐｉ」は、dot per inch を意味し、１インチあたりのドット（点）の数を表す単位表記である。１インチは２５．４ミリメートル[ｍｍ]である。
【００６０】
用紙Ｐの搬送方向と直交する用紙幅方向をラインヘッドのノズル列方向と呼び、用紙Ｐの搬送方向をノズル列垂直方向と呼ぶ場合がある。
【００６１】
二次元ノズル配列を有するインクジェットヘッドの場合、二次元ノズル配列における各ノズルをノズル列方向に沿って並ぶように投影（正射影）した投影ノズル列は、ノズル列方向について、最大の記録解像度を達成するノズル密度で各ノズルが概ね等間隔で並ぶ一列のノズル列と等価なものと考えることができる。「概ね等間隔」とは、インクジェット印刷装置で記録可能な打滴点として実質的に等間隔であることを意味している。例えば、製造上の誤差及び／又は着弾干渉による媒体上での液滴の移動を考慮して僅かに間隔を異ならせたものなどが含まれている場合も「等間隔」の概念に含まれる。投影ノズル列は実質的なノズル列に相当する。投影ノズル列を考慮すると、ノズル列方向に沿って並ぶ投影ノズルの並び順に、各ノズルにノズル位置を表すノズル番号を対応付けることができる。
【００６２】
インクジェットヘッド４６Ｃ、４６Ｍ、４６Ｙ、４６Ｋの各々におけるノズルの配列形態は限定されず、様々なノズル配列の形態を採用することができる。例えば、マトリクス状の二次元配列の形態に代えて、一列の直線配列、Ｖ字状のノズル配列、Ｖ字状配列を繰り返し単位とするＷ字状などのような折れ線状のノズル配列なども可能である。
【００６３】
描画ドラム４２によって搬送される用紙Ｐに向けて、インクジェットヘッド４６Ｃ、４６Ｍ、４６Ｙ、４６Ｋのうち少なくとも１つのヘッドからインクの液滴が吐出され、吐出された液滴が用紙Ｐに付着することにより、用紙Ｐに画像が記録される。
【００６４】
描画ドラム４２は、インクジェットヘッド４６Ｃ、４６Ｍ、４６Ｙ、４６Ｋと用紙Ｐとを相対移動させる手段として機能している。描画ドラム４２は、インクジェットヘッド４６Ｃ、４６Ｍ、４６Ｙ、４６Ｋに対して、用紙Ｐを相対的に移動させる相対移動手段の一形態に相当する。インクジェットヘッド４６Ｃ、４６Ｍ、４６Ｙ、４６Ｋのそれぞれの吐出タイミングは、描画ドラム４２に設置されたロータリエンコーダから得られるロータリエンコーダ信号に同期させる。図１においてロータリエンコーダの図示は省略されており、図２においてロータリエンコーダ１５２として記載されている。吐出タイミングとは、インクの液滴を吐出するタイミングであり、打滴タイミングと同義である。
【００６５】
なお、本例では、ＣＭＹＫの４色のインクを用いる構成を例示したが、インク色及び色数の組み合わせについては本実施形態に限定されず、必要に応じて淡インク、濃インク、特色インクなどを追加してもよい。例えば、ライトシアン、ライトマゼンタなどのライト系インクを吐出するインクジェットヘッドを追加する構成、又は、緑色若しくはオレンジ色などの特色のインクを吐出するインクジェットヘッドを追加する構成なども可能である。また、各色のインクジェットヘッドの配置順序も特に限定はない。
【００６６】
画像読取装置４８は、インクジェットヘッド４６Ｃ、４６Ｍ、４６Ｙ、４６Ｋによって用紙Ｐに記録された画像を光学的に読み取り、その読取画像を示す電子画像データを生成する装置である。画像読取装置４８は、用紙Ｐ上に記録された画像を撮像して画像情報を示す電気信号に変換する撮像デバイスを含む。画像読取装置４８は、撮像デバイスの他、読み取り対象を照明する照明光学系及び撮像デバイスから得られる信号を処理してデジタル画像データを生成する信号処理回路を含んでよい。
【００６７】
画像読取装置４８は、カラー画像の読み取りが可能な構成であることが好ましい。本例の画像読取装置４８は、例えば、撮像デバイスとしてカラーＣＣＤリニアイメージセンサが用いられる。ＣＣＤは、Charge-Coupled Deviceの略語であり、電荷結合素子を指す。カラーＣＣＤリニアイメージセンサはＲ（赤），Ｇ（緑），Ｂ（青）各色のカラーフィルタを備えた受光素子が直線状に配列したイメージセンサである。なお、カラーＣＣＤリニアイメージセンサに代えて、カラーＣＭＯＳリニアイメージセンサを用いることもできる。ＣＭＯＳは、Complementary Metal Oxide Semiconductorの略語であり、相補型金属酸化膜半導体を指す。
【００６８】
画像読取装置４８は、描画ドラム４２による用紙Ｐの搬送中に用紙Ｐ上の画像の読み取りを行う。このように用紙搬送経路に設置される画像読取装置は「インラインスキャナ」又は「インラインセンサ」と呼ばれる場合がある。また、画像読取装置４８はカメラであってもよい。
【００６９】
インクジェットヘッド４６Ｃ、４６Ｍ、４６Ｙ、４６Ｋの少なくとも１つを用いて画像が記録された用紙Ｐは、画像読取装置４８の読取領域を通過する際に、用紙Ｐ上の画像が読み取られる。用紙Ｐに記録される画像としては、印刷ジョブで指定される印刷対象のユーザ画像の他、ノズルごとの吐出状態を検査するための不良ノズル検知パターン、印刷濃度補正用テストパターン、印刷濃度ムラ補正用テストパターン、その他の各種のテストパターンが含まれ得る。
【００７０】
画像読取装置４８によって読み取られた読取画像のデータを基に、印刷画像の検査が行われ、画質異常の有無が判断される。また、画像読取装置４８によって読み取られた読取画像のデータを基に、画像の濃度やインクジェットヘッド４６Ｃ、４６Ｍ、４６Ｙ、４６Ｋの吐出不良などの情報が得られる。
【００７１】
インク乾燥部５０は、描画部４０で画像が記録された用紙Ｐを乾燥処理する。インク乾燥部５０は、チェーングリッパ７０と、用紙ガイド８０と、温風送風ユニット９０と、を備える。
【００７２】
チェーングリッパ７０は、描画ドラム４２から用紙Ｐを受け取り、受け取った用紙Ｐを集積部６０へと搬送する。チェーングリッパ７０は、規定の走行経路を走行する一対の無端状のチェーン７２を備え、その一対のチェーン７２に備えられたグリッパ７４によって用紙Ｐの先端部を把持した状態で用紙Ｐを規定の搬送経路に沿って搬送する。グリッパ７４は、チェーン７２に一定の間隔で複数備えられる。
【００７３】
用紙ガイド８０は、チェーングリッパ７０による用紙Ｐの搬送をガイドする部材である。用紙ガイド８０は、第１用紙ガイド８２と第２用紙ガイド８４を含んで構成される。第１用紙ガイド８２はチェーングリッパ７０の第１搬送区間を搬送される用紙Ｐをガイドする。第２用紙ガイド８４は、第１搬送区間の後段の第２搬送区間を搬送される用紙をガイドする。温風送風ユニット９０は、チェーングリッパ７０によって搬送される用紙Ｐに温風を吹き当てる。
【００７４】
集積部６０は、チェーングリッパ７０によってインク乾燥部５０から搬送されてくる用紙Ｐを受け取り、集積する集積装置６２を備える。チェーングリッパ７０は、所定の集積位置で用紙Ｐをリリースする。集積装置６２は集積トレイ６２Ａを備え、チェーングリッパ７０からリリースされた用紙Ｐを受け取り、集積トレイ６２Ａの上に束状に集積する。集積部６０は排紙部に相当する。
【００７５】
［システム構成の概要］
図２は、インクジェット印刷装置１Ａの制御系の要部構成を示すブロック図である。インクジェット印刷装置１Ａは、制御装置１００によって制御される。制御装置１００とインクジェット印刷装置１Ａとを含むシステムをインクジェット印刷システム１０１と呼ぶ。
【００７６】
制御装置１００は、システムコントローラ１１０と、通信部１１２と、表示部１１４と、操作部１１６と、情報記憶部１１８と、画像処理部１２０と、搬送制御部１２２と、画像記録制御部１２４と、を備える。制御装置１００は、１台又は複数台のコンピュータを用いて実現することができる。つまり、制御装置１００は、コンピュータのハードウェアとソフトウェアとの組み合わせによって構成することができる。ソフトウェアはプログラムと同義である。また、制御装置１００の処理機能の一部又は全部は、ＤＳＰ（digital signal processor）やＦＰＧＡ（field-programmable gate array）に代表される集積回路を用いて実現してもよい。
【００７７】
システムコントローラ１１０は、インクジェット印刷装置１Ａの各部を統括制御する制御手段として機能し、かつ、各種演算処理を行う演算手段として機能する。システムコントローラ１１０は、ＣＰＵ（Central Processing Unit）１３０と、ＲＯＭ（read-only memory）１３２と、ＲＡＭ（random access memory）１３４と、を備えており、所定のプログラムに従って動作する。
【００７８】
ＲＯＭ１３２には、システムコントローラ１１０が実行するプログラム、及び、制御に必要な各種データが格納される。ＲＡＭ１３４は、ＣＰＵ１３０の処理に必要な各種データを記憶する。
【００７９】
情報記憶部１１８は、例えば、ハードディスクドライブで構成される。情報記憶部１１８には、ＣＰＵ１３０が実行する各種プログラム、並びに、処理や演算に必要な各種データが記憶される。
【００８０】
通信部１１２は、所要の通信インターフェースを備える。インクジェット印刷装置１Ａは、通信部１１２を介して図示せぬホストコンピュータと接続され、ホストコンピュータとの間でデータの送受信を行うことができる。ここでいう「接続」とは、情報の伝達が可能な関係をいい、接触接続であってもよいし、非接触接続であってもよい。接続は、例えば、対応する端子同士の接触接続、有線接続、無線接続、光通信接続、又はこれらの適宜の組み合わせを包含する用語である。また、接続には、図示せぬ電気通信回線を介して接続されるネットワーク接続の形態も含まれる。通信部１１２には、通信を高速化するためのバッファメモリを搭載してもよい。通信部１１２は、印刷対象の画像を表す画像データを取得するための画像入力インターフェース部としての役割を果たす。
【００８１】
表示部１１４と操作部１１６は、ユーザインターフェースとして機能する。表示部１１４には、例えば、液晶ディスプレイ、有機ＥＬ（Organic Electro-Luminescence）ディスプレイなどの種々の表示方式による表示デバイスを用いることができる。操作部１１６には、キーボード、マウス、タッチパネル、トラックボールなど、各種の入力装置を採用することができ、これらの適宜の組み合わせであってもよい。なお、表示部１１４の画面上にタッチパネルを配置した構成のように、表示部１１４と操作部１１６とが一体的に構成されている形態も可能である。
【００８２】
制御装置１００に対する情報の入力及び指示の入力等の作業は、操作部１１６と表示部１１４を利用して行うことができる。ユーザは、表示部１１４の画面に表示される内容を見ながら操作部１１６を使って印刷条件の入力や、画質モードの選択、その他の設定事項の入力、付属情報の入力及び編集、情報の検索など各種情報の入力を行うことができる。また、ユーザは、入力内容その他の各種情報を表示部１１４の表示を通じて確認することができる。
【００８３】
表示部１１４は、エラー情報を報知するエラー情報報知手段として機能する。例えば、印刷物からスジ欠陥が検出された場合に、表示部１１４の画面にスジ欠陥の検出情報を示すスジ欠陥検出情報が表示される。
【００８４】
制御装置１００は、図示せぬメディアインターフェース部を備えてもよい。メディアインターフェース部は、図示せぬ外部記憶メディアからの情報の読み取りと、外部記憶メディアへの情報の書き込みを行う。外部記憶メディアとして、例えば、光ディスクやメモリカードなどの可搬型メディアを採用し得る。メディアインターフェース部は、印刷対象の画像を表す画像データを取得するための画像入力インターフェース部として機能し得る。
【００８５】
画像処理部１２０は、印刷対象の画像データに対する各種の変換処理、補正処理、並びにハーフトーン処理を行う。変換処理には、画素数変換、階調変換、色変換などが含まれる。補正処理には、濃度補正、又は不良ノズルによる画像欠陥の視認性を抑制するための不吐出補正などが含まれる。画像処理部１２０は入力画像に対して各種の処理を行い、出力用画像データを生成する。
【００８６】
画像処理部１２０は、画像検査部１４０を含んでいる。画像検査部１４０は、画像読取装置４８から得られる読取画像のデータを解析して画質異常を検知する処理を行う。また画像検査部１４０は、画像読取装置４８から得られる読取画像のデータを解析して不良ノズルを検知する処理を行う。画像検査部１４０を含む制御装置１００は画像検査装置の一形態に相当する。
【００８７】
画像処理部１２０の機能は、システムコントローラ１１０を含んだ制御装置１００の中の機能ブロックとして内包される構成であってもよいし、システムコントローラ１１０とは別のコンピュータによって構成されてもよい。また、画像処理部１２０における各種の処理機能の一部又は全部は、ＤＳＰ（digital signal processor）やＦＰＧＡ（field-programmable gate array）に代表される集積回路を用いて実現してもよい。
【００８８】
搬送制御部１２２は、インクジェット印刷装置１Ａの媒体搬送機構１５０を制御する。媒体搬送機構１５０は、図１に示された給紙部１０から集積部６０に至る用紙Ｐの搬送に関わる用紙搬送部の機構の全体を含んでいる。媒体搬送機構１５０には、図１に示された給紙ドラム１６、処理液塗布ドラム２２、処理液乾燥ドラム３２、描画ドラム４２、及びチェーングリッパ７０などが含まれる。また、媒体搬送機構１５０には、図示せぬ動力源としてのモータ及びモータ駆動回路などの駆動部が含まれる。
【００８９】
搬送制御部１２２は、システムコントローラ１１０からの指令に応じて、媒体搬送機構１５０を制御し、かつ、給紙部１０から集積部６０まで用紙Ｐが搬送されるように制御する。
【００９０】
インクジェット印刷装置１Ａは、媒体搬送機構１５０における描画ドラム４２の回転角度を検出する手段としてのロータリエンコーダ１５２を備えている。インクジェットヘッド４６Ｃ、４６Ｍ、４６Ｙ、４６Ｋのそれぞれは、ロータリエンコーダ１５２が出力するロータリエンコーダ信号から生成される吐出タイミング信号に従って、吐出タイミングが制御される。
【００９１】
画像記録制御部１２４は、システムコントローラ１１０からの指令に応じてインクジェットヘッド４６Ｃ、４６Ｍ、４６Ｙ、４６Ｋのそれぞれのインク吐出動作を制御する。画像記録制御部１２４は、画像処理部１２０のハーフトーン処理を経て生成された各インク色のドットデータに基づき、用紙Ｐに画像を記録するように、インクジェットヘッド４６Ｃ、４６Ｍ、４６Ｙ、４６Ｋのそれぞれの吐出動作を制御する。
【００９２】
本実施形態による画像検査機能を説明する前に、シングルパスインクジェット印刷装置における不良ノズル特定技術と、印刷画像からスジ欠陥を検知するスジ検知技術の概要と課題を説明する。
【００９３】
《シングルパスインクジェット印刷装置のスジ欠陥について》
図３は、シングルパス方式のインクジェット印刷装置における不良ノズルに起因するスジ欠陥を説明するための模式図である。シングルパス方式のインクジェット印刷装置は、図３に例示したように、ラインヘッドを備えたインクジェット印刷装置である。図３においては、説明を簡単にするために、１つのラインヘッド４６０を用いてモノクロ濃淡画像を描画する例について説明する。
【００９４】
ラインヘッド４６０は、インクジェット方式でインクを吐出する複数個のノズル４６２が並んだノズル列４６４を有するインクジェットヘッドである。ラインヘッド４６０に対して用紙Ｐを搬送し、かつ、ノズル４６２からインクの液滴を吐出することにより、用紙Ｐ上にインクの液滴が付着してドット４７２が記録される。
【００９５】
ラインヘッド４６０に対して用紙Ｐを搬送する方向である媒体搬送方向をＹ方向とし、Ｙ方向に直交する用紙Ｐの幅方向である用紙幅方向をＸ方向とする。ラインヘッド４６０の複数個のノズル４６２はＸ方向に並んでおり、各ノズル４６２は用紙ＰのＸ方向の異なる位置の記録を担う。ノズル４６２の並び方向であるＸ方向をノズル列方向と呼ぶ場合がある。
【００９６】
媒体搬送方向は、ラインヘッド４６０を用紙Ｐに対して相対的に走査する方向であり、走査方向という場合がある。また、Ｘ方向は走査直交方向という場合がある。Ｙ方向は相対移動方向の一例である。Ｙ方向は第１方向の一例であり、Ｘ方向は第２方向の一例である。なお、ここではラインヘッド４６０に対して用紙Ｐを搬送することにより、両者の相対的な移動を行っているが、用紙Ｐに対してラインヘッド４６０を走査方向に移動させることにより、ラインヘッド４６０と用紙Ｐとを相対的に移動させる構成を採用してもよい。
【００９７】
図３では、１０個のノズル４６２が並んだノズル列４６４を例示している。不良ノズルの例として、図３の左から３番目の第３番ノズルＮｚ３が不吐ノズルとなっている。また、左から８番目の第８番ノズルＮｚ８に飛翔曲がりが発生している例が示されている。不吐ノズルは、インクの吐出が不能なノズルである。「不吐」は「不吐出」と同義である。「不良ノズル」は「異常ノズル」と読み替えてもよい。
【００９８】
飛翔曲がりとは、液滴の吐出方向が逸れ、ドットが形成されるべき理想的位置に対して実際にドットが形成される位置がずれる現象である。ドットが形成されるべき理想的位置は、設計上の目標位置であり、正常なノズルが液滴を吐出した場合に想定されるドット形成位置を指す。飛翔曲がりは「吐出曲がり」とも呼ばれる。
【００９９】
図３に示した状況の場合、不良ノズルである第３番ノズルＮｚ３の位置に対応する用紙Ｐ上の位置ＡにＹ方向に伸びるスジ欠陥が発生する。また、不良ノズルである第８番ノズルＮｚ８の位置に対応する用紙Ｐ上の位置ＢにＹ方向に伸びるスジ欠陥が発生する。スジ欠陥は「スジムラ」又は「スジ状欠陥」と同義である。本明細書ではスジ欠陥を単に「スジ」という場合がある。スジ欠陥には、連続的なスジの他、断続的なスジも含まれる。
【０１００】
ラインヘッド４６０に対して相対的に用紙Ｐを移動させ、１回の走査で規定の記録解像度の画像の記録を完成させるシングルパス方式のインクジェット印刷装置では、不良ノズルに起因して印刷画像上に走査方向に伸びるスジが発生する。
【０１０１】
《ラダーパターンを用いた不良ノズル特定技術の概要》
不良ノズルを特定する技術の１つとしてラダーパターンの印刷結果を画像解析する方法がある。図４は、ラダーパターンを含む出力画像の例を示す図である。図４では、用紙Ｐにユーザ画像５０２とラダーパターン５０４とを描画する例が示されている。図４は、図示の都合上、ラダーパターン５０４の描画領域のみが示され、パターンの具体的形態については図５に示されている。
【０１０２】
図４の例に示すラダーパターン５０４は、ユーザ画像５０２の先端部に付加され、ユーザ画像５０２と共に、同じ１枚の用紙Ｐに描画される。ここでは１枚の用紙Ｐに、１色分のラダーパターン５０４が描画される例が示されている。ユーザ画像５０２の先端部とは、ユーザ画像５０２の縁に近接する領域であって、用紙搬送方向である用紙Ｐの進行方向前側の端の部分を指す。なお、ラダーパターンはユーザ画像５０２の後端部に付加されてもよく、先端部と後端部の両方に付加されてもよい。ユーザ画像５０２の後端部とは、ユーザ画像５０２の縁に近接する領域であって、用紙搬送方向である用紙Ｐの進行方向と反対方向である後方側の端の部分を指す。記録媒体である用紙Ｐにおいてラダーパターン５０４が描画される領域が第１領域の一例に相当する。記録媒体である用紙Ｐにおいてユーザ画像５０２が描画される領域が第２領域の一例に相当する。
【０１０３】
［ラダーパターンの出力例１］
図５は、ラダーパターン５０４の一部を拡大した拡大図である。ラダーパターン５０４は、いわゆる「１オンｎオフ」型のパターンであり、図５にはｎ＝４の場合の「１オン４オフ」型のパターンが例示されている。なお、ｎは４に限らず、インクジェットヘッドのノズル密度と、画像読取装置の読取解像度との関係から適宜の整数に設定し得る。ラダーパターン５０４は、不良ノズル検知用のパターンの一例である。不良ノズル検知用のパターンを「不良ノズル検知パターン」という。
【０１０４】
ラダーパターン５０４は、ライン型のインクジェットヘッドにおける各ノズルがそれぞれ単独で記録する線分のライン５０６が並ぶラインパターンである。
【０１０５】
［ラダーパターンの出力例２］
図６は、全色かつ全ノズル分のラダーパターンをまとめて描画する場合の例を示す図である。図６には、マゼンタのラダーパターン５０４Ｍと、ブラックのラダーパターン５０４Ｋと、シアンのラダーパターン５０４Ｃと、イエローのラダーパターン５０４Ｙとを１枚の用紙Ｐにまとめて描画する例が示されている。
【０１０６】
ＣＭＹＫ４色のインクを用いるインクジェット印刷装置においてＣＭＹＫの色ごとにラインヘッドを備えている構成の場合、図４に示すように、ＣＭＹＫの４色すべてのラダーが描画される。図６では、図示の都合上、各色のラダーパターンの描画領域のみが示され、パターンの具体的形態は図７に示されている。
【０１０７】
図７は、図６に示された各色のラダーパターン５０４Ｍ、５０４Ｋ、５０４Ｃ、５０４Ｙの一部を拡大した拡大図である。
【０１０８】
［連続印刷中の不良ノズル特定方法の説明］
図８は、全色かつ全ノズル分のラダーパターンを複数枚のページに分割して描画する場合の例を示す概念図である。連続印刷中に不良ノズルを検知する場合には、ラダーパターンの描画領域の面積が制限されるため、図４で説明したように、ユーザ画像５０２の端部にラダーパターン５０４を付加して、ユーザ画像５０２と同じ用紙Ｐにラダーパターン５０４を描画する構成が採用される。この場合、図８に示すように、複数のページに分割して全色かつ全ノズル分のラダーパターンを描画することになる。
【０１０９】
図８では、８枚の印刷物５１１〜５１８が符号の番号順に連続印刷されることを示している。第１枚目の印刷物５１１には、マゼンタのラダーパターン５０４Ｍが描画される。第２枚目の印刷物５１２には、ブラックのラダーパターン５０４Ｋが描画される。第３枚目の印刷物５１３には、シアンのラダーパターン５０４Ｃが描画される。第４枚目の印刷物５１４には、イエローのラダーパターン５０４Ｙが描画される。以下同様の順番の繰り返しにより、各色のラダーパターンが描画されていく。
【０１１０】
図８のように、１枚につき１色のラダーパターンを描画する構成の場合、ＣＭＹＫの全４色について全ノズル分のラダーパターンを描画するには、少なくとも４枚の印刷が必要である。なお、図８に示した色の順番は一例であり、適宜の順番を設定し得る。また、ＣＭＹＫの色ごとにラダーパターンの描画頻度を変えてもよい。図８では、同じ絵柄のユーザ画像５０２を連続印刷する例が示されているが、バリアブル印刷のように、異なる絵柄のユーザ画像を連続印刷する場合についても同様である。つまり、バリアブル印刷の場合、連続印刷中に２種類以上の印刷画像が複数枚連続して印刷される。
【０１１１】
図９は、連続印刷中に不良ノズルを特定する方法を実施する際のフローチャートである。図９に示すフローチャートの各ステップは、インクジェット印刷装置の制御装置、若しくはインクジェット印刷装置又はこれらの両方を組み合わせたインクジェット印刷システムによって実行される。
【０１１２】
印刷の処理が開始されると、ステップＳ５１２にて制御装置は、ユーザ画像に不良ノズル検知パターンを付加する処理を行う。印刷対象とされるユーザ画像のデータは、印刷原稿として制御装置に入力される。図８に例示したラダーパターン５０４Ｍ、５０４Ｋ、５０４Ｃ、５０４Ｙの各々は、不良ノズル検知用のパターンの一例である。制御装置は、ユーザ画像の端部に不良ノズル検知パターンを付加して１ページ分の出力用画像のデータを生成する。
【０１１３】
ステップＳ５１４にて制御装置は、生成した出力用画像のデータに基づき画像を出力する処理を行う。制御装置は、出力用画像のデータを基に、インクジェット印刷装置の動作を制御して不良ノズル検知パターンとユーザ画像を用紙上に描画させる。インクジェット印刷装置は制御装置の制御に従い、不良ノズル検知パターンの描画と、ユーザ画像の描画とを実行する。
【０１１４】
ステップＳ５１６にて制御装置は、不良ノズル検知パターンを解析する処理を行う。ステップＳ５１６の不良ノズル検知パターンを解析するステップには、用紙に記録された不良ノズル検知パターンを画像読取装置によって読み取るステップと、画像読取装置から得られる不良ノズル検知パターンの読取画像のデータを制御装置が取得するステップと、不良ノズル検知パターンの読取画像を画像解析して不良ノズルを検知するステップと、が含まれる。
【０１１５】
ステップＳ５１８にて制御装置は、ステップＳ５１６の画像解析処理の結果、不良ノズルが検知されたか否かを判定する。
【０１１６】
ステップＳ５１６の画像解析処理によって不良ノズルが検知された場合には、ステップＳ５１８の判定結果がＹｅｓ判定となり、ステップＳ５２０に移行する。ステップＳ５２０にて制御装置は、不良ノズル補正処理を行う。不良ノズル補正処理は、不良ノズルに対する画質補正処理であり、例えば、不吐出補正技術による補正処理である。ステップＳ５２０の不吐ノズル補正処理ステップを実行した後、制御装置はステップＳ５２２に移行する。
【０１１７】
一方、ステップＳ５１６の解析処理によって不良ノズルが検知されなかった場合は、ステップＳ５１８の判定結果がＮｏ判定となり、ステップＳ５２０の処理を省略してステップＳ５２２に移行する。
【０１１８】
ステップＳ５２２にて制御装置は、予定枚数の出力が終わったか否かを判定する。印刷ジョブにて指定されている枚数の出力が未完了であれば、ステップＳ５２２の判定結果がＮｏ判定となり、この場合はステップＳ５１２に戻り、連続印刷を継続する。
【０１１９】
一方、ステップＳ５２２において印刷ジョブにて指定されている枚数の出力が完了したら、ステップＳ５２２の判定結果がＹｅｓ判定となり、印刷処理を終了する。図９に示すフローチャートを実行することにより、図８に示したような連続印刷が行われる。
【０１２０】
連続印刷中にラダーチャートから不良ノズルを検知するには、図８のように、出力するラダーパターンをページごとに変えることで、全色かつ全ノズル分のラダーチャートを出力することが必要とされる。このような方法は、［課題２］として既に説明したとおり、不良ノズルの特定までに時間を要してしまう。
【０１２１】
《スジ検知技術の概要》
次に、スジ検知技術の概要を説明する。スジ検知技術は、ユーザが印刷した画像データを基に、実際に印刷された印刷画像内にスジが発生しているか否かを判断する手法である。図１０は、スジ検知アルゴリズムの基本原理を示す説明図である。
【０１２２】
まずは、事前に正解画像５３０を用意する。正解画像５３０は、印刷用の画像として入力した入力画像そのもの、若しくは、入力画像にフィルタ処理などの所定の処理を施して得られる画像、又は、連続印刷を実行する前に、事前にスキャナ等を用いて良好画質の印刷物の印刷画像を読み込むことにより取り込んだ画像のいずれかであってよい。
【０１２３】
なお、図１０に示した正解画像５３０は、ラダーパターンを含む画像の例が示されているが、スジ検知の処理に際してラダーパターンの情報は不要である。正解画像５３０は、ユーザ画像領域５３２の画像情報を含んでいればよく、ラダーパターンの情報は省略することができる。
【０１２４】
こうして正解画像５３０を用意した後、連続印刷の際に、１枚ずつ毎回、出力画像を画像読取装置によって読み取り、計測画像５４０として取り込む。そして、正解画像５３０と計測画像５４０の差を比較することでスジ発生の有無を判断する。
【０１２５】
図１０に示した計測画像５４０のユーザ画像領域５４２には、２つのスジ５４４、５４６が発生している例が示されている。正解画像５３０のユーザ画像領域５３２の画像情報と計測画像５４０のユーザ画像領域５４２の画像情報との差分から、スジ５４４、５４６に対応するスジ情報５５０が得られる。なお、計測画像５４０は、ユーザ画像領域５４２の画像情報を含んでいればよく、ラダーパターンの情報は省略することができる。
【０１２６】
図１１は、連続印刷中に実施されるスジ検知処理のフローチャートである。印刷ジョブに基づき連続印刷の処理が開始されると、ステップＳ５４２にて制御装置は、印刷対象である画像のデータに基づき画像を出力する処理を行う。制御装置は、出力用画像のデータを基にインクジェット印刷装置の動作を制御して、ユーザ画像を用紙上に描画させる。インクジェット印刷装置は制御装置の制御に従い、ユーザ画像の描画を実行する。
【０１２７】
ステップＳ５４４にて制御装置は、スジ検知処理を行う。スジ検知処理のアルゴリズムは、図１０で説明したとおりである。ステップＳ５４４のスジ検知処理ステップには、用紙に描画されたユーザ画像を画像読取装置によって読み取るステップと、画像読取装置から得られるユーザ画像の読取画像である計測画像のデータを制御装置が取得するステップと、計測画像と事前に用意された正解画像との差を比較してスジ情報を得るステップと、スジ情報を基にスジの有無を判断するステップと、が含まれる。スジの有無の判断方法として、例えば、スジ情報の信号強度と予め定めた閾値とが比較され、スジ情報の信号強度が閾値以上である場合にスジ欠陥が発生していると判断される。
【０１２８】
ステップＳ５４６にて制御装置は、スジが検知されたか否かの判定を行う。ステップＳ５４４のスジ検知処理により、スジが検知されなかった場合は、ステップＳ５４６の判定結果がＮｏ判定となり、ステップＳ５４８に移行する。
【０１２９】
ステップＳ５４８にて制御装置は、予定枚数の出力が終わったか否かを判定する。印刷ジョブにて指定されている枚数の出力が未完了であれば、ステップＳ５４８の判定結果がＮｏ判定となり、この場合はステップＳ５４２に戻り、連続印刷を継続する。
【０１３０】
一方、ステップＳ５４４のスジ検知処理により、スジが検知された場合は、ステップＳ５４６の判定結果がＹｅｓ判定となり、ステップＳ５５０に移行する。
【０１３１】
ステップＳ５５０にて制御装置は、異常対応を行う。異常対応の一例として、例えば、警告の表示、及び／又は、ヘッドクリーニングなどのメンテナンス動作の実施などがある。異常対応の処理は、印刷を一時的に中止する処理、或いは印刷を終了する異常終了の処理であってもよい。
【０１３２】
また、ステップＳ５４８において印刷ジョブにて指定されている枚数の出力が完了したら、ステップＳ５４８の判定結果がＹｅｓ判定となり、印刷処理を終了する。
【０１３３】
図１０及び図１１を用いて説明したスジ検知技術は、連続印刷中にスジの発生の有無を迅速かつ的確に判断することができるという長所がある一方、［課題３］として説明したとおり、不良ノズルを特定するには至らないため、不良ノズルに対する画質補正を的確に実施することが困難である。
【０１３４】
本開示では、図８及び図９において説明した不良ノズル特定技術と、図１０及び図１１において説明したスジ検知技術のそれぞれの長所を活かしたハイブリッドな画像検査技術を提供する。
【０１３５】
《第１実施形態に係る画像検査方法》
第１実施形態に係る画像検査方法では、スジ検知後に不良ノズルを特定する処理が行われる。
【０１３６】
［処理の概要］
図１２は、第１実施形態に係る画像検査方法における処理の手順を示すフローチャートである。図１２に示すフローチャートの各ステップは、画像検査装置として機能する制御装置１００、若しくはインクジェット印刷装置１Ａ又はこれらの両方を組み合わせたインクジェット印刷システム１０１によって実行される。
【０１３７】
印刷ジョブに従い連続印刷の処理が開始されると、まずは図９のステップＳ５１２〜ステップＳ５１４に準じた画像出力処理を行う。図１２のステップＳ１２とステップＳ１４は、図９のステップＳ５１２とステップＳ５１４と同様のステップである。
【０１３８】
図１２のステップＳ１６にて制御装置１００は、ステップＳ１４によって出力された不良ノズル検知パターンを解析し、その結果を不良ノズル検知結果履歴データベース１６０に送る。ステップＳ１６の不良ノズル検知パターンを解析するステップには、用紙Ｐに描画された不良ノズル検知パターンを画像読取装置４８によって読み取るステップと、画像読取装置４８から得られる不良ノズル検知パターンの読取画像のデータを制御装置１００が取得するステップと、画像検査部１４０が不良ノズル検知パターンの読取画像を画像解析して不良ノズルを検知するステップと、制御装置１００が不良ノズル検知結果を示すデータを不良ノズル検知結果履歴データベース１６０に登録するステップと、が含まれる。
【０１３９】
つまり、制御装置１００は、ステップＳ１４の画像出力処理によって出力された不良ノズル検知パターンについて、まずは不良ノズル検知のための画像解析とその解析結果のデータ保存のみを行う。ステップＳ１６において不良ノズルが検知されても、制御装置１００は、即座に不良ノズルに対する画質補正処理を行うことは実施しない。代わりに、一旦不良ノズル検知結果を、不良ノズル検知結果履歴データベース１６０に履歴として保存しておく。不良ノズル検知結果履歴データベース１６０は、不良ノズル検知結果を履歴として保存しておくデータベースである。不良ノズル検知結果履歴データベース１６０に保存されている不良ノズル検知結果のデータを履歴データという。
【０１４０】
ステップＳ１６にて制御装置１００が画像読取装置４８から読取画像のデータを取得するステップが読取画像取得工程の一例に相当する。画像読取装置４８から得られる不良ノズル検知パターンの読取画像が第１読取画像の一例に相当する。画像読取装置４８から得られるユーザ画像の読取画像が第２読取画像の一例に相当する。ステップＳ１６にて制御装置１００の画像検査部１４０が不良ノズル検知パターンの読取画像を解析して不良ノズルを検知するステップが不良ノズル検知処理工程の一例に相当する。
【０１４１】
ステップＳ１６にて制御装置１００が不良ノズル検知結果を示すデータを不良ノズル検知結果履歴データベース１６０に登録するステップが履歴情報保存工程の一例に相当する。
【０１４２】
ステップＳ１６の処理に続き、ステップＳ１８にて制御装置１００は、出力されたユーザ画像について、スジ検知処理を行う。ステップＳ１８のスジ検知処理は、図１０のステップＳ５４４と同様の処理である。ステップＳ１８は画像欠陥検知処理工程の一例に相当する。
【０１４３】
ステップＳ２０にて制御装置１００は、スジが検知されたか否かの判定を行う。ステップＳ１８のスジ検知処理の結果として、スジが検知された場合、ステップＳ２２に移行する。
【０１４４】
ステップＳ２２にて制御装置１００は、不良ノズル検知結果履歴データベース１６０を参照して不良ノズルの特定を行う。制御装置１００は、ステップＳ１８のスジ検知処理によって得られるスジ情報を活用して不良ノズル検知結果履歴データベース１６０からデータを抽出し、スジの原因となっている不良ノズルを特定する処理を行う。ステップＳ２２は不良ノズル特定処理工程の一例に相当する。
【０１４５】
ステップＳ２４にて制御装置１００は、ステップＳ２２の不良ノズル特定処理によって不良ノズルが特定されたか否かを判定する。ステップＳ２２の不良ノズル特定処理の結果として、不良ノズルが特定された場合には、ステップＳ２６に移行する。
【０１４６】
ステップＳ２６にて制御装置１００は、不良ノズル補正処理を行う。不良ノズル補正処理は、不良ノズルに対する画質補正処理であり、図９のステップＳ５２０と同様の処理である。図１２のステップＳ２６の後、制御装置１００は、ステップＳ２８に移行する。
【０１４７】
また、ステップＳ１８のスジ検知処理の結果として、スジが検知されず、ステップＳ２０の判定結果がＮｏ判定となった場合は、ステップＳ２８に移行する。ステップＳ２８は図９のステップＳ５２２と同様のステップである。
【０１４８】
なお、スジが検知された印刷物は、画像品質が不良な失敗印刷物であるため、予定枚数の印刷実行枚数にカウントせず、損紙として処理することが好ましい。この場合、ステップＳ２６の不良ノズル補正処理後に、失敗印刷物と同じユーザ画像を再度印刷し直す「追い刷り」の処理を行うことが好ましい。
【０１４９】
また、スジが検知された失敗印刷物に対しては、排紙先を変更したり、或いは、失敗印刷物であることを示す目印を付すスタンプ処理を実施したりするなど、良品の印刷物との選別を容易にするための選別処理を実施することが好ましい。
【０１５０】
一方、図１２のステップＳ２２の不良ノズル特定処理の結果として、不良ノズルが特定されなかった場合、制御装置１００はステップＳ８０に移行して異常対応を行う。ステップＳ８０は図１０のステップＳ５５０と同様のステップである。
【０１５１】
［不良ノズル検知結果履歴データベースを参照して不良ノズルを特定する方法］
ここで、スジ検知結果と不良ノズル検知結果履歴データベース１６０とを基に、不良ノズルを特定する処理の具体例について述べる。
【０１５２】
図１３は、不良ノズル検知結果履歴データベース１６０の一例を示す概念図である。図１３に例示した不良ノズル検知結果履歴データベース１６０は、出力ページを識別するページ番号と、それぞれのページを印刷する際に出力した不良ノズル検知パターンのインク色である検知色とが紐付けされており、各ページの出力の際に発生した不良ノズル情報がそれぞれ保管される、という形式である。不良ノズル情報は、不良ノズル検知パターンの画像解析によって検知された不良ノズルのノズル番号を特定し得る情報である。
【０１５３】
例えば、ページ番号「Page 1」の出力ページは、マゼンタの不良ノズル検知パターンが出力されており、不良ノズル検知結果としては、マゼンタのインクジェットヘッドにおけるノズル番号ｍ−１のノズルが不良ノズルとして検知されたことを示している。
【０１５４】
ページ番号「page 2」の出力ページは、ブラックの不良ノズル検知パターンが出力されており、不良ノズル検知結果として、ブラックのインクジェットヘッドにおけるノズル番号０のノズルと、ノズル番号ｍ−３のノズルの２つのノズルが不良ノズルとして検知されたことを示している。
【０１５５】
図１３に例示したように、不良ノズル検知結果履歴データベース１６０には、連続印刷による各ページの出力の経過に伴い、出力ページごとの不良ノズル検知結果のデータが履歴として蓄積される。ページ番号は、ページが出力された順番を表しており、つまり、時間情報に相当する。なお、各ページが出力されたタイミングを示す時間情報としてページ番号に代えて、又はこれと組み合わせてタイムスタンプのような時刻情報を用いてもよい。
【０１５６】
図１３では、理解しやすい例として「Page １」から直近の「Page Latest」までの複数の履歴データが時系列で並べられた表形式のデータ構造に整理されている。本例のインクジェット印刷システム１０１では、マゼンタ、ブラック、シアン、イエローの４色を、この色の並び順番で１色ずつページが変わる度に輪番式に変更して、各色の不良ノズルを検知している。
【０１５７】
不良ノズル検知結果履歴データベース１６０には、これら４色の各色それぞれの少なくとも最新の履歴データを保持しておくことが望ましい。より好ましくは、不良ノズル検知結果履歴データベース１６０には、各色それぞれについて少なくとも最新の履歴データを含む複数の履歴データを保持する構成とする。不良ノズル検知結果履歴データベース１６０に登録されている情報が履歴情報の一例に相当する。
【０１５８】
図１４は、スジ検知処理によりスジが検知された場合に、不良ノズル検知結果履歴データベース１６０を利用して不良ノズルを特定する方法の一例を示した模式図である。
【０１５９】
図１５は、不良ノズル検知結果履歴データベース１６０を利用して不良ノズルを特定する不良ノズル特定処理の手順を示したフローチャートである。図１５のフローチャートは、図１２のステップＳ２２の処理内容を示している。
【０１６０】
スジ検知処理（図１２のステップＳ１８）によってスジが検知された際には、図１５に示すフローチャートに従い、不良ノズルを特定する処理が行われる。
【０１６１】
まず、不良ノズル特定処理が開始されると、ステップＳ１０１にて制御装置は、スジ検知処理によって得られるスジ情報から不良ノズルのおよその番号を推定する。スジ情報は、図１０で説明したように、正解画像５３０と計測画像５４０との差分を表す差分画像のデータである。スジ情報は画像欠陥に関する情報の一例に相当する。不良ノズルのおよその番号は、スジ情報が示すスジの位置と、インクジェットヘッドの各ノズルの位置との関係から概ね不良ノズルと推定されるノズル番号である。不良ノズルのおよその番号を「不良ノズル概略番号」という。制御装置１００は、スジ情報から座標解析を行うことにより不良ノズル概略番号を推定する。本例の不良ノズル概略番号は例えばｍ番であるとする。
【０１６２】
シングルパス方式のインクジェットヘッドの記録解像度は、インクジェットヘッドのノズル密度によって規定される。インクジェットヘッドのノズル密度は例えば、１２００ｎｐｉである。「ｎｐｉ」は、nozzle per inch を意味し、１インチあたりのノズルの数を表す単位表記である。１つのノズルによって１つの画素のドットを記録することができるため、ノズル密度のｎｐｉは、記録解像度のｄｐｉに置き換えて理解することができる。
【０１６３】
一方、スジ情報が示すスジの位置は、画像読取装置の読取解像度によって規定される画素の単位で特定される。画像読取装置の読取解像度は、インクジェットヘッドの記録解像度よりも低解像度であってよく、例えば、４００ｄｐｉ〜６００ｄｐｉ程度の読取解像度の画像読取装置を採用し得る。
【０１６４】
例えば、スジ情報から把握されるスジの位置は、画像読取装置の読取解像度によって規定される画素の単位で±１画素程度の精度で特定し得る。つまり、インクジェットヘッドのノズル密度よりも低解像度の読取画像である計測画像５４０を解析することによって得られたスジ情報から、不良ノズルの正確なノズル番号を特定することは困難である。
【０１６５】
ステップＳ１０１では、計測画像５４０における画素の単位の±１画素程度の不確かさを許容して、スジ情報から不良ノズルと推定される不良ノズル概略番号を求める。
【０１６６】
ステップＳ１０２にて制御装置１００は、スジ情報から不良ノズルのインク色を推定する。制御装置１００は、正解画像５３０と計測画像５４０との差分データであるスジ情報から、スジの色相判断を行い、不良ノズルが発生しているインク色を推定する。制御装置１００は、スジ情報の画像を色相解析し、その解析結果を基にスジの色相を判断する。制御装置１００は、スジの色相から不良ノズルが発生しているインク色を推定する。
【０１６７】
ステップＳ１０３にて制御装置１００は、ステップＳ１０２にて推定したインク色の過去の不良ノズル検知結果のうち、最新のデータを含む１データ以上のデータを不良ノズル検知結果履歴データベース１６０から抽出する。例えば、制御装置１００は、ステップＳ１０２にて推定したインク色の過去の不良ノズル検知結果のうち、最新のデータを含む直近の過去２枚分のデータである２つのデータを不良ノズル検知結果履歴データベース１６０から抽出する。
【０１６８】
図１４に示した例では、ステップＳ１０２にて推定されたインク色がブラックであり、ブラックの最新のデータを含む直近の過去２枚分のデータとして、最新の履歴データである「Page Latest」のデータと、「Page Latest-4」のデータとの２つのデータが抽出された様子を太線の囲み枠１６２Ａ、１６２Ｂにより強調表示した。
【０１６９】
次に、ステップＳ１０４にて制御装置１００は、ステップＳ１０１の処理で求めたｍ番ノズル近傍の不良ノズル検知結果のデータを不良ノズル検知結果履歴データベース１６０から抽出する。ｍ番ノズル近傍の「近傍」の範囲は、例えば、ｍ番ノズルを中心として±２ノズルである合計５ノズル分、などと定めることができる。ｍ±２のノズル番号範囲を「ｍ番ノズル近傍」とする場合、具体的には、ノズル番号ｍ−２、ノズル番号ｍ−１、ノズル番号ｍ、ノズル番号ｍ＋１、及びノズル番号ｍ＋２の５ノズルが「ｍ番ノズル近傍」に該当する。なお、近傍の範囲は、画像読取装置の読取解像度と、インクジェットヘッドのノズル密度との関係を基に、妥当な範囲に定められる。図１４では、ｍ±２のノズル番号範囲の履歴データが抽出された様子を太線の囲み枠１６４により強調表示した。
【０１７０】
次に、ステップＳ１０５にて制御装置１００は、ステップＳ１０３とステップＳ１０４において抽出されたデータから、スジの原因となっている不良ノズルを特定する。図１４の例では、ステップＳ１０３によるデータ抽出条件とステップＳ１０４によるデータ抽出条件の積集合として抽出されたデータから、ノズル番号ｍ−１のノズルがスジの原因となっている不良ノズルであると特定される。
【０１７１】
ステップＳ１０１からステップＳ１０４の処理の順番は、図１５の例に限定されず、合理的な範囲で変更可能である。例えば、ステップＳ１０１とステップＳ１０２の処理の順番は入れ換え可能である。また、ステップＳ１０３とステップＳ１０４の処理の順番も入れ換え可能である。或いはまた、ステップＳ１０１、ステップＳ１０４、ステップＳ１０２、ステップＳ１０３、ステップＳ１０５の順番で処理を実施してもよい。
【０１７２】
第１実施形態の画像検査方法によれば、［課題１］及び［課題２］で説明した各課題をスジ検知技術と不良ノズル特定技術の各々の長所で補うことができ、効率的に不良ノズルの特定と画質補正処理とを行うことができるようになる。
【０１７３】
［第１実施形態に係る画像検査装置の構成］
図１６は、制御装置１００の画像検査機能及び出力用画像生成機能に関する主な構成を示したブロック図である。制御装置１００は、既に説明した第１実施形態に係る画像検査方法の処理を実施し得る。
【０１７４】
制御装置１００は、画像処理部１２０の他、画像取得部１７２と、メモリ１７４と、読取画像取得部１７６と、データベース記憶部１７８と、情報出力部１８０と、を備える。画像取得部１７２は、装置の外部又は装置内の他の回路から印刷対象とするユーザ画像５０２のデータを取り込むインターフェースである。画像取得部１７２は、データ入力端子によって構成することができる。画像取得部１７２として、有線又は無線の通信インターフェース部を採用してもよいし、メモリカードなどの外部記憶装置の読み書きを行うメディアインターフェース部を採用してもよく、若しくは、これら態様の適宜の組み合わせであってもよい。図２で説明した通信部１１２又は図示せぬメディアインターフェース部は、画像取得部１７２として機能し得る。
【０１７５】
読取画像取得部１７６は、画像読取装置４８から得られる読取画像５６０のデータを取り込むインターフェースである。読取画像取得部１７６は、画像読取装置４８から読取画像５６０のデータを受信してもよいし、制御装置１００内の他の回路から読取画像５６０のデータを取得してもよい。読取画像５６０は、不良ノズル検知パターンの読取画像データとユーザ画像の読取画像データとを１つの読取画像の中に含む画像データであってもよいし、不良ノズル検知パターン領域を読み取って得られる不良ノズル検知パターンの読取画像データ、又は、ユーザ画像領域を読み取って得られるユーザ画像の読取画像データのそれぞれ別々の画像データであってもよい。不良ノズル検知パターン領域は、ノズルの吐出状態を検査するためのパターンが描画される領域であり、「ノズル検査領域」と呼ばれる場合がある。不良ノズル検知パターン領域は、第１領域の一例に相当する。ユーザ画像領域は、第２領域の一例に相当する。
【０１７６】
メモリ１７４は、画像取得部１７２を介して取得したユーザ画像５０２のデータを記憶する記憶部である。また、メモリ１７４は、読取画像取得部１７６を介して取得した読取画像５６０を記憶する記憶部である。メモリ１７４は、画像処理部１２０の各種演算を行う際のワークメモリとして機能し得る。メモリ１７４は、図２で説明したＲＡＭ１３４の領域を利用したものであってもよい。
【０１７７】
データベース記憶部１７８は、不良ノズル検知結果履歴データベース１６０を記憶する記憶部である。データベース記憶部１７８は、図２の情報記憶部１１８の記憶領域を利用したものであってもよい。データベース記憶部１７８は、履歴情報保存部の一例に相当する。
【０１７８】
情報出力部１８０は、画像処理部１２０において生成された情報を出力するための出力インターフェースである。情報出力部１８０は、制御装置１００内の他の処理部等に情報を出力してもよいし、制御装置１００の外部に情報を出力してもよい。
【０１７９】
画像処理部１２０は、出力用画像データ生成部１９０と、画像検査部１４０とを含んで構成される。出力用画像データ生成部１９０は、不良ノズル検知パターン生成部１９２と、補正処理部１９４と、ハーフトーン処理部１９６と、データ付加処理部１９８と、を含む。また、出力用画像データ生成部１９０は、入力画像からＣ，Ｍ，Ｙ，Ｋのインク色ごとの画像データに分解する図示されない分版処理部を含む。
【０１８０】
不良ノズル検知パターン生成部１９２は、ユーザ画像５０２の先端部に描画する不良ノズル検知パターンの元データを生成する。
【０１８１】
補正処理部１９４は、印刷対象の画像データに各種の画像補正処理を行う。補正処理部１９４が行う画像補正処理には、画像検査部１４０の検査結果を基に、スジを不可視化する不良ノズル補正処理が含まれる。不良ノズル補正処理は、画像欠陥を抑制する画質補正処理の一例に相当する。不良ノズル補正処理は、第１画質補正処理の一例に相当する。
【０１８２】
ハーフトーン処理部１９６は、補正処理部１９４により補正されたインク色ごとの画像信号を、ディザ法や誤差拡散法などの処理によって量子化して２値又は多値のドットデータに変換する処理を行う。本例のハーフトーン処理部１９６は、Ｃ、Ｍ、Ｙ、Ｋの各色のドットデータを生成する。
【０１８３】
データ付加処理部１９８は、不良ノズル検知パターン生成部１９２によって生成された不良ノズル検知パターンの元データを、印刷対象であるユーザ画像５０２のデータに付加して１ページ分の出力用データを生成する処理を行う。ハーフトーン処理前のユーザ画像のデータに不良ノズル検知パターンのデータを付加してもよいし、ハーフトーン処理後のデータに不良ノズル検知パターンのデータを付加してもよい。
【０１８４】
出力用画像データ生成部１９０により生成された出力用画像データは、情報出力部１８０を介して画像記録制御部１２４（図２参照）に送られる。
【０１８５】
画像検査部１４０は、不良ノズル検知処理部１４２と、スジ検知処理部１４４と、不良ノズル特定処理部１４６と、を含む。不良ノズル検知処理部１４２は、不良ノズル検知パターンの読取画像のデータを解析して不良ノズルを検知する。不良ノズル検知処理部１４２は、不良ノズル検知結果の情報を不良ノズル検知結果履歴データベース１６０に登録する処理を行う。不良ノズル検知処理部１４２は、図１２のステップＳ１６の処理を行う。
【０１８６】
スジ検知処理部１４４は、用紙Ｐに印刷されたユーザ画像を読み取って得られる読取画像のデータを解析してスジを検知する。スジ検知処理部１４４は、正解画像５３０と計測画像５４０とを比較してスジ情報５５０を生成し、かつ、スジの有無を判断する。スジ検知処理部１４４は図１２のステップＳ１８の処理を行う。スジ検知処理部１４４は、画像欠陥検知処理部の一例に相当する。
【０１８７】
不良ノズル特定処理部１４６は、スジ検知処理部１４４が検知したスジ情報５５０から不良ノズル検知結果履歴データベース１６０を参照して不良ノズルを特定する。不良ノズル特定処理部１４６は、図１２のステップＳ２２の処理を行う。不良ノズル特定処理部１４６によって特定された不良ノズル情報は、補正処理部１９４に送られる。補正処理部１９４は、特定された不良ノズルに対する画質補正である不良ノズル補正処理を行う。
【０１８８】
図１７は、画像検査部１４０のさらに詳細な処理機能を提供するブロック図である。不良ノズル検知処理部１４２は、不良ノズル検知パターン領域抽出部２００と、画像解析部２０２とを含む。
【０１８９】
不良ノズル検知パターン領域抽出部２００は、読取画像取得部１７６を介して取得した読取画像から不良ノズル検知パターンの画像領域部分のデータを抽出する処理を行う。不良ノズル検知パターン領域抽出部２００によって、不良ノズル検知パターンの読取画像である第１読取画像のデータが生成される。
【０１９０】
画像解析部２０２は、不良ノズル検知パターンの読取画像のデータを解析して、不良ノズルを検知する。画像解析部２０２は、不良ノズル検知パターンの各ラインの記録状態から、各ノズルの吐出状態を判定して不良ノズルのノズル番号を検知する。各ラインの記録状態とは、ラインの記録の有無、記録位置、ライン幅、及びライン間隔のうちのいずれか又は組み合わせを指す。
【０１９１】
画像解析部２０２の処理によって得られる不良ノズル検知結果情報２０４は、不良ノズル検知結果履歴データベース１６０に保存される。
【０１９２】
スジ検知処理部１４４は、計測画像抽出部２１０と正解画像記憶部２１２と、差分情報生成部２１４と、スジ判断部２１６とを含む。
【０１９３】
計測画像抽出部２１０は、読取画像取得部１７６を介して取得した読取画像からユーザ画像の画像領域部分のデータを抽出する処理を行う。計測画像抽出部２１０によって、ユーザ画像の読取画像である計測画像５４０のデータが生成される。計測画像５４０のデータは、第２読取画像のデータの一例に相当する。
【０１９４】
正解画像記憶部２１２には、正解画像５３０のデータが記憶されている。正解画像記憶部２１２は、図２で説明したＲＡＭ１３４又は情報記憶部１１８の記憶領域を利用したものであってもよい。
【０１９５】
差分情報生成部２１４は、正解画像５３０と計測画像５４０の差を求め、差分情報を生成する。この差分情報は、計測画像５４０に含まれるスジの情報を含んでいる。差分情報生成部２１４の処理によりスジ情報５５０が得られる。
【０１９６】
スジ判断部２１６は、スジ情報５５０が示すスジの信号強度から、視認性に影響のある画像欠陥として取り扱うか否かを判断する。例えば、スジ判断部２１６はスジの信号強度を、閾値と比較して、閾値を超える信号強度が検知された場合いスジであると判断する。
【０１９７】
不良ノズル特定処理部１４６は、概略ノズル番号推定部２２０と、インク色推定部２２２と、履歴データ照合部２２４と、不良ノズル判断部２２６とを含む。概略ノズル番号推定部２２０は、スジ検知処理部１４４によって得られたスジ検知結果を示す情報とスジ情報５５０とを用いて画像内におけるスジの位置座標を求める座標解析を行い、不良ノズル概略番号を推定する。
【０１９８】
インク色推定部２２２は、スジ情報５５０におけるスジ部分の色相から不良ノズルが発生しているインク色を推定する。なお、概略ノズル番号推定部２２０及びインク色推定部２２２のいずれか一方若しくは両方は、スジ検知処理部１４４に含まれていてもよい。
【０１９９】
履歴データ照合部２２４は、概略ノズル番号の推定情報と、インク色の推定情報とを基に不良ノズル検知結果履歴データベース１６０を参照して、条件範囲に該当する履歴データの抽出を行う。
【０２００】
不良ノズル判断部２２６は、履歴データ照合部２２４によって抽出された履歴データから不良ノズルのノズル番号を特定する。履歴データ照合部２２４と不良ノズル判断部２２６の処理の例は、図１４で説明したとおりである。
【０２０１】
不良ノズル特定処理部１４６によって特定された不良ノズルのノズル番号を示す不良ノズル情報は、不良ノズル情報記憶部２２８に記憶される。不良ノズル情報記憶部２２８は、図２で説明したＲＡＭ１３４又は情報記憶部１１８の記憶領域を利用したものであってもよい。不良ノズル情報記憶部２２８に記憶された不良ノズル情報を基に、図１６の補正処理部１９４において不良ノズル補正処理が行われる。
【０２０２】
［第１実施形態の効果］
第１実施形態によれば、印刷画像上で実際にスジの発生が検知された場合に不良ノズルを特定する処理が行われ、特定した不良ノズルに対して画質補正処理が行われる。このため、［課題１］で述べたようなスジが発生していない状況での不良ノズルの特定や過剰な画質補正を行うといった無駄がなくなり、効率的に的確な不良ノズルの特定処理及び画質補正処理を行うことができる。
【０２０３】
また、第１実施形態によれば、印刷画像からスジを検知した場合に、早期に不良ノズルを特定することができ、早期に画質補正処理を行うことができる。このため、損紙の発生を抑制することができる。
【０２０４】
《第２実施形態に係る画像検査方法》
上述の第１実施形態においては、不良ノズルが特定できないケースも起こりうる。そこで、第１実施形態の処理によって不良ノズルの特定に失敗した際には、連続印刷の出力に対して割り込みで不良ノズル特定チャートを出力し、その不良ノズル特定チャートの出力結果を画像解析することにより、不良ノズルを特定する処理を行う構成がさらに好ましい。このような割り込みによるチャート出力の処理を行う実施形態の例を以下、第２実施形態として説明する。
【０２０５】
図１８は、第２実施形態に係る画像検査方法の処理手順を示すフローチャートである。図１８において図１２に示したフローチャートと同一又は類似のステップには同一のステップ番号を付し、その説明は省略する。
【０２０６】
図１８のフローチャートでは、ステップＳ２４の判定にてＮｏ判定となった場合に実行されるステップＳ４０及びステップＳ４２が追加されている。
【０２０７】
ステップＳ２４の判定において不良ノズルが特定されておらず、Ｎｏ判定となった場合、制御装置１００は、ステップＳ４０に移行する。ステップＳ４０にて制御装置１００は、不良ノズル特定チャートを割り込み出力する処理を行う。ステップＳ４０の割り込み処理において出力される不良ノズル特定チャートとして、例えば、図６及び図７で説明した全色かつ全ノズル分のラダーパターン画像が用いられる。ステップＳ４０にて出力される不良ノズル特定チャートは、割り込み処理によって出力されるテストチャートの一例に相当する。
【０２０８】
ステップＳ４０にて不良ノズル特定チャートを割り込み出力する場合、印刷ジョブで指定されている予定枚数の連続印刷の実行中に、連続印刷の途中に割り込みをかけて、連続印刷の印刷速度を変更することなく不良ノズル特定チャートの描画が実行される。
【０２０９】
ステップＳ４０は不良ノズル特定チャートを出力するステップと、用紙Ｐに描画された不良ノズル特定チャートを画像読取装置４８によって読み取るステップと、画像読取装置４８ら得られる不良ノズル特定チャートの読取画像のデータを制御装置１００が取得するステップと、不良ノズル特定チャートの読取画像を画像解析して不良ノズルを特定するステップと、が含まれる。ステップＳ４０にて出力された不良ノズル特定チャートの読取画像は第３読取画像の一例に相当する。
【０２１０】
ステップＳ４０の後、ステップＳ４２にて制御装置１００は、不良ノズルが特定されたか否かを判定する。ステップＳ４０の処理の結果、不良ノズルが特定された場合は、ステップＳ２６に移行し、不良ノズル補正処理を行う。ステップＳ４０の処理によって特定された不良ノズルの情報を用いてステップＳ２６にて不良ノズル補正処理を行う構成は、第３読取画像のデータを解析した結果を、割り込み処理によるテストチャート出力後に、連続印刷中の印刷画像の印刷処理に反映させる構成の一例に相当する。
【０２１１】
その一方、ステップＳ４０の処理の結果、不良ノズルが特定されなかった場合には、ステップＳ８０の異常対応を行う。
【０２１２】
図１８のフローチャートに示すような処理を行う第２実施形態によれば、［課題１］〜［課題３］で説明した各課題をスジ検知技術と不良ノズル特定技術の各々の長所で補うことができ、効率的に的確な不良ノズルの特定と画質補正処理とを行うことができるようになる。
【０２１３】
［第２実施形態における出力用画像データ生成部の構成］
図１９は、第２実施形態における出力用画像データ生成部１９０の機能を提供するブロック図である。出力用画像データ生成部１９０は、不良ノズル特定チャートの出力用データを生成する不良ノズル特定チャート生成部１９３を備える。不良ノズル特定チャート生成部１９３は、例えば、不良ノズル検知パターン生成部１９２が生成する色ごとの不良ノズル検知パターンのデータをマージして、図６及び図７に示されるような不良ノズル特定チャートのデータを生成し得る。不良ノズル特定チャート生成部１９３の処理機能は、制御装置１００のＣＰＵ１３０がプログラムを実行することによって実現し得る。
【０２１４】
《オーバーレイ方式による不良ノズル特定チャートの例》
第２実施形態では、割り込み処理（ステップＳ４０）にて出力する不良ノズル特定チャートとして、図６及び図７で説明したようなラダーパターン画像を出力する例を説明した。しかし、図６及び図７で説明したようなラダーパターン画像を描画するために吐出されるインク量は、実際に割り込み処理の前後で出力されているユーザ画像のインク量より少ないため、インクジェットヘッドにかかる負荷が実際より軽くなり、適切に不良ノズルを抽出できない可能性がある。
【０２１５】
そこで、図２０に示すように、連続印刷の印刷対象となっている印刷中のユーザ画像に不良ノズル特定用のチャートをオーバーレイする方式を採用することにより、上記の問題を軽減させる。オーバーレイ方式による不良ノズル特定チャートの主な観点を列記すると次のとおりである。
【０２１６】
［１］スジ検知処理により検知されたスジ検知位置に応じて不良ノズル特定チャートを生成し、かつ生成した不良ノズル特定チャートを印刷対象画像であるユーザ画像にオーバーレイする。スジ検知位置とは、スジが検知された画像上の縦方向の位置及び横方向の位置を意味する。不良ノズル特定チャートは、ユーザ画像のスジ検知位置に重ねて出力される。
【０２１７】
［２］スジ検知処理により検知された色相に応じて、対応するインク色の不良ノズル特定チャートを生成し、かつ生成した不良ノズル特定チャートを印刷対象画像であるユーザ画像にオーバーレイする。
【０２１８】
［３］スジの発生原因となった不良ノズルの候補を含む候補ノズル範囲に応じて不良ノズル特定チャートを生成し、かつ生成した不良ノズル特定チャートを印刷対象画像であるユーザ画像にオーバーレイする。
【０２１９】
以下、図２０を用いて具体的に説明する。図２０は、オーバーレイ方式による不良ノズル特定チャートの割り込み出力の概要を示す説明図である。図２０では、出力ページのページ番号を表す整数jとして、「Page  j」、「Page  j+１」、及び「Page  j+2」の連続する３枚の出力ページを模式的に示した。連続印刷中のページ番号「Page  j」の印刷画像において、２本のスジ５４４、５４６が検知された例が示されている。
【０２２０】
この場合、割り込み処理によって「Page j+1」の出力の際に、スジ５４４、５４６が検知されたスジ検知位置に応じて、不良ノズル特定用のテストチャート２３０Ｍ、２３０Ｃ、２３０Ｋを生成し、かつ、生成したテストチャート２３０Ｍ、２３０Ｃ、２３０Ｋを次の印刷対象画像であるページ番号「Page j+1」のユーザ画像のスジ検知位置にオーバーレイして出力する。ページ番号「Page j+1」のユーザ画像は、連続印刷中に出力予定であった印刷画像の一例に相当する。
【０２２１】
不良ノズル特定用のテストチャート２３０Ｍ、２３０Ｃ、２３０Ｋの各々は、スジ検知処理により検知された色相に対応するインク色のラダーパターンである。例えば、スジ５４４は色相判断から不良ノズルのインク色がマゼンタであると推定されているとする。この場合、マゼンタの不良ノズル特定用のテストチャート２３０Ｍを生成し、かつ、マゼンタのテストチャート２３０Ｍをスジ５４４のスジ検知位置にオーバーレイする。
【０２２２】
一方、スジ５４６は、色相判断から不良ノズルのインク色がシアン又はブラックのいずれかであると推定されているとする。この場合、シアンのテストチャート２３０Ｃとブラックのテストチャート２３０Ｋの両方のチャートを生成し、かつ、シアンのテストチャート２３０Ｃとブラックのテストチャート２３０Ｋの両方をスジ５４６のスジ検知位置にオーバーレイする。
【０２２３】
不良ノズル特定用のテストチャート２３０Ｍ、２３０Ｃ、２３０Ｋは、それぞれスジの発生原因となった不良ノズルの候補を含む候補ノズル範囲に属するノズル分の部分的なラダーパターンである。
【０２２４】
テストチャート２３０Ｍ、２３０Ｃ、２３０Ｋを含んだテストチャート画像の全体を、不良ノズル特定チャートという。このようにオーバーレイ方式による不良ノズル特定チャートを出力し、その出力結果の読取画像を画像解析することにより、不良ノズルを特定することができる。そして、特定した不良ノズルに対して画質補正処理を行うことにより、図２０におけるページ番号「Page j+2」の出力において、スジの発生が抑制された良好な印刷画像が得られる。
【０２２５】
［オーバーレイ方式による不良ノズル特定チャートの生成手順］
図２１は、オーバーレイ方式による不良ノズル特定チャートの生成手順を示したフローチャートである。図２１に示すフローチャートの各ステップは、画像検査装置として機能する制御装置１００によって実行される。
【０２２６】
図２１に示す不良ノズル特定チャート生成処理が開始されると、ステップＳ５２にて制御装置１００は、画像読取装置によって読み取られた読取画像のデータから生成されたスジ検知情報に基づき、オーバーレイ用のテストチャートの元画像データを生成する。スジ検知情報とは、スジ検知処理部１４４が検知したスジの情報を指す。スジ検知情報には、スジの位置を示すスジ位置情報やスジの色情報などが含まれる。オーバーレイ用のテストチャートは、不良ノズル特定用のテストチャートであり、例えば、図２０に例示したラダーパターンによるテストチャート２３０Ｍ、２３０Ｃ、２３０Ｋがスジ位置に対応して配置された絵柄となるチャート画像である。
【０２２７】
図２２は、連続印刷中に画像読取装置４８によって得られる読取画像５６０のデータの一例である。図２３は、図２１のステップＳ５２の処理によって生成されるオーバーレイ用のテストチャートの元画像データの一例である。オーバーレイ用のテストチャートの元画像データをテストチャート元画像データという。
【０２２８】
図２３に示すテストチャート元画像データ２３２は、スジ５４４に対応するテストチャート２３０Ｍとスジ５４６に対応するテストチャート２３０Ｃ、２３０Ｋのデータを含む。テストチャート元画像データ２３２は割り込み出力用のテストチャートのデータの一例に相当する。
【０２２９】
次に、図２１のステップＳ５４にて制御装置１００は、テストチャート元画像データ２３２に対して、テストチャート画像向けの各種画像処理を実施する。ステップＳ５４に適用し得る画像処理の内容として、例えば、画像補正処理、若しくはハーフトーン処理又はこれらの組み合わせなどがある。ステップＳ５４の処理を実施することにより、画像処理済みテストチャート画像データ２３３が生成される。
【０２３０】
ステップＳ５２及びステップＳ５４の処理と並列して、又は、これらの処理に前後して、印刷対象であるユーザ画像の元画像データに対しても印刷画像向けの各種画像処理を適用する（ステップＳ６２〜ステップＳ６４）。
【０２３１】
すなわち、ステップＳ６２にて制御装置１００は、印刷対象であるユーザ画像の元画像データを取得する。図２４は、ユーザ画像の元画像データ２３６の一例である。元画像データ２３６は連続印刷中に出力予定であった印刷画像の一例に相当する。
【０２３２】
次に、図２１のステップＳ６４にて制御装置１００は、ユーザ画像の元画像データ２３６に対して、印刷画像向けの各種画像処理を実施する。ステップＳ６４に適用し得る画像処理の内容として、例えば、画像補正処理、ハーフトーン処理、不良ノズル検知パターン付与処理、又はこれらの組み合わせなどがある。ステップＳ６４においてユーザ画像の元画像データ２３６に適用する各種画像処理の内容と、ステップＳ５４においてテストチャート元画像データ２３２に適用する各種画像処理の内容は、画像処理の適用の有無も含めて、両者互いに異なる内容としてもよい。
【０２３３】
例えば、ステップＳ５４の処理において、テストチャート元画像データ２３２に対して、テストチャート画像向けの専用の画像補正処理と、専用のハーフトーン処理が適用される。また、ステップＳ６４の処理において、ユーザ画像の元画像データ２３６に対して、印刷画像向けの画像補正処理と、ハーフトーン処理と、不良ノズル検知パターン付与処理と、が適用される。
【０２３４】
ステップＳ６４にてユーザ画像の元画像データ２３６に対して適用される画像処理は、第１画像処理の一例に相当する。ステップＳ５４にてテストチャート元画像データ２３２に適用される画像処理は、第２画像処理の一例に相当する。
【０２３５】
ステップＳ６４の処理を実施することにより、画像処理済み印刷画像データ２３７が生成される。図２５は、画像処理済み印刷画像データ２３７の一例である。画像処理済み印刷画像データ２３７は、ハーフトーン処理によってドットパターンに変換されたユーザ画像のドットパターン画像２３８の先端に不良ノズル検知パターンであるラダーパターン５０４Ｍが付加された画像内容を表す画像データとなっている。画像処理済み印刷画像データ２３７は、第１画像処理済み画像データの一例に相当する。画像処理済みテストチャート画像データ２３３は、第２画像処理済み画像データの一例に相当する。
【０２３６】
こうして、画像処理済み印刷画像データ２３７と画像処理済みテストチャート画像データ２３３とが生成されると、図２１のステップＳ６６にて制御装置１００は、オーバーレイ処理を行う。ステップＳ６６のオーバーレイ処理は、画像処理済み印刷画像データ２３７と画像処理済みテストチャート画像データ２３３とをオーバーレイにより合成する画像合成処理である。オーバーレイ処理は画像合成処理と言い換えてもよい。ステップＳ６６のオーバーレイ処理を実施することによって、出力用画像データ２４０が生成される。
【０２３７】
図２６は、オーバーレイ処理（ステップＳ６６）を経て生成される出力用画像データ２４０の一例である。出力用画像データ２４０は合成画像データの一例に相当する。出力用画像データ２４０は、ユーザ画像の画像内にテストチャート２３０Ｍ、２３０Ｃ、２３０Ｋ、が組み込まれた合成画像によるチャートを示すデータとなっている。
【０２３８】
図２１のフローチャートを実行して得られた出力用画像データ２４０を用いてインクジェット印刷装置１Ａによる印刷出力が実行される。出力用画像データ２４０によって示される不良ノズル特定チャートは、連続印刷中に出力予定であった１種以上の印刷画像の画像内にテストチャートが組み込まれた合成画像によるチャートの一例に相当する。
【０２３９】
《不良ノズル特定後の後処理について》
ここで、不良ノズルが特定された後に実施する後処理の例について説明する。
【０２４０】
［不良ノズル特定後の画質補正処理］
不良ノズル特定後の後処理の一例として、特許第５４５７３０７号の記載に代表されるような不吐出補正技術による画質補正処理を利用することができる。特許第５４５７３０７号に示された技術においては、不良ノズル補正用のパラメータ量は連続印刷の事前に用意されることが想定される。これは、連続印刷中に不良ノズル補正パラメータのパラメータ量を最適化する処理を実施すると、生産性を損ねるためである。
【０２４１】
しかし、連続印刷の前の不良ノズルの状態は、実際の不良ノズルが発生した際の不良ノズルの状態と同じであるとは限らない。そのため、事前に用意された不良ノズル補正パラメータは、最適な画質を得られるパラメータ量になっていないと考えられる。
【０２４２】
そこで、生産性よりも、画像品質を重視する場合には、上述した「割り込み処理」の技術を応用して、不良ノズルが特定された際には、該当する不良ノズルの画質補正用パラメータである不良ノズル補正パラメータを最適化するための調整用チャートを割り込みで印刷し、調整用チャートを解析してパラメータを最適な値に調整する処理を行うことが、最良な画質を維持する上では有効と考えられる。調整用チャートは、連続印刷中に割り込みによって印刷されるテストチャートの一例に該当する。
【０２４３】
このような補正パラメータの最適化調整処理に用いる技術には、特許第５１１１２１６号に記載の技術や特許第５４５７３０７号に記載の技術などが適している。
【０２４４】
また、割り込み処理によって出力するテストチャートの種類は１種類に限らず、複数種類であってもよい。例えば、割り込み処理によって最初に不良ノズル特定チャートを出力して不良ノズルを特定する処理を実施した後、補正パラメータを調整するための調整用パラメータを出力して補正パラメータの調整処理を実施してもよい。
【０２４５】
割り込み処理によって出力された調整用チャートを画像読取装置４８によって読み取ることで得られる読取画像は第４読取画像の一例に相当する。また、調整用チャートを用いて補正パラメータを調整し、調整後の補正パラメータを用いて画質補正処理を行う構成は、第４読取画像のデータを解析した結果を、割り込み処理によるテストチャート出力後に、連続印刷中の印刷画像の印刷処理に反映させる構成の一例に相当する。
【０２４６】
［不良ノズル特定失敗後の画像処理］
不良ノズルの特定に失敗した際において、そのまま異常終了してしまうと生産性が著しく悪くなってしまう懸念がある。ユーザによっては、生産性を重視して『多少の画質劣化は許容する代わりに生産性を損ねたくない』と考える場合が有り得る。このようなユーザの要求に応えるべく、不良ノズルの特定に失敗した際には、通常の画像処理とは異なる、不良ノズル特定失敗のケースに最適な別の画像処理を行うことが考えられる。この場合の処理フローの一例を図２７に示す。
【０２４７】
図２７は、不良ノズル特定失敗後の画像処理を含んだ印刷処理の例を示すフローチャートである。図２７は、図１８のフローチャートの変形例である。図２７において、図１８に示したフローチャートと同一又は類似のステップには同一のステップ番号を付し、その説明は省略する。
【０２４８】
図２７のフローチャートでは、ステップＳ４２の判定にてＮｏ判定となった場合に実行されるステップＳ４４が追加されている。
【０２４９】
ステップＳ４２の判定において不良ノズルが特定されず、Ｎｏ判定となった場合、制御装置１００は、ステップＳ４４に移行する。ステップＳ４４にて制御装置１００は、不良ノズル特定失敗時用画質補正処理を行う。不良ノズル特定失敗時用画質補正処理は、不良ノズルの特定に失敗した場合に適用する画質補正処理である。不良ノズルの特定に失敗した場合の対処策として適用される不良ノズル特定失敗時用画質補正処理は、ステップＳ２６にて実施される不良ノズル補正処理とは異なる画質補正処理である。不良ノズル特定失敗時用画質補正処理は第２画質補正処理の一例に相当する。ステップＳ２６にて実施される不良ノズル補正処理は、不良ノズル特定成功後の出力対象の印刷画像に対して適用する画質補正処理であり、第１多湿補正処理の一例に相当する。
【０２５０】
ステップＳ４４の不良ノズル特定失敗時用画質補正処理の一例として、「複数不吐補正」の処理を採用し得る。以下、複数不吐補正の処理の概要を説明する。
【０２５１】
［不良ノズル特定失敗時用画質補正処理の具体例］
複数不吐補正とは、１つのノズルの異常に対して２つ以上のノズルを不吐化して補正する補正方法である。２つ以上のノズルの集まりをノズル群という。一方、ステップＳ２６によって実施される不良ノズル補正処理は、単独不吐補正の処理である。単独不吐補正とは、１つノズルの異常に対して特定した１つの不良ノズルを不吐化して補正する補正方法である。
【０２５２】
不吐化とは、ノズルを強制的に使用禁止状態にする処理をいう。不吐化されたノズルは液滴を吐出することができない状態となり、不吐ノズルとなる。不吐化は、吐出不能化、或いは、不使用化と言い換えることができる。不吐化されたノズルを不吐化ノズルという。ノズルを不吐化して補正するとは、不吐部分を不可視化するように補正することをいう。
【０２５３】
不吐部分を不可視化するように補正するとは、印刷の際にノズルが不吐となることによって発生するスジが目立たないようにスジの視認性を低下させる補正を行うことをいう。不吐部分は不吐化によって記録が欠落する欠落部分である。シングルパス方式の場合、不吐部分はスジとなる。
【０２５４】
単独不吐補正機能によって補正を行う動作モードを単独不吐補正モードという。複数不吐補正機能によって補正を行う動作モードを複数不吐補正モードという。ノズルの異常に起因するスジが発生している状態においてその異常な不良ノズルを１つに特定できない場合は、異常を含む領域に対応するノズル範囲に属するノズル群を不吐化して補正する複数不吐補正モードが使用される。
【０２５５】
複数不吐補正モードによるノズル群単位の不吐補正を実施して、損紙の発生を抑制した状態で印刷を継続し、その後、真に異常な不良ノズルが特定できた場合に、単独不吐補正モードに切り替えてもよい。
【０２５６】
以下、複数不吐補正の処理内容を説明する。
【０２５７】
〈画像の異常検出と異常領域の設定方法について〉
図２８は、印刷された画像に異常が発見された場合の印刷画像を模式的に表した図である。各セルは、印刷画像の画素を表している。図２８の横方向はＸ方向、縦方向がＹ方向である。Ｘ方向に並ぶ各画素に対して、それぞれの画素の記録を担うノズルが対応付けられている。したがって、Ｘ方向の画素の位置は、ノズルの位置と理解することができる。
【０２５８】
図２８の左から８列目の画素位置の記録を担うノズルが不良ノズルとなっている。不良ノズルによって、対応する画像位置にＹ方向に伸びるスジが現れる。図２８では、スジとなる画像部分の画素列が薄い網掛けによって表示されている。
【０２５９】
図２９は、不良ノズルの位置を含む異常領域を設定する様子を示した模式図である。図２９においては、画像上において不良ノズルと疑われる６ノズルのノズル範囲に対応する画像領域が異常領域に設定されることを示している。図２９の例では、Ｘ方向に連続する６画素分の領域を異常領域としているが、異常領域として設定する画素範囲は画像読取装置の解像度に応じて１画素以上の適宜の範囲とすることができる。
【０２６０】
異常領域を設定する処理は、複数不吐補正を行う際に実施される。
【０２６１】
〈不良ノズルを含むノズル群の特定方法について〉
次に、不良ノズルを含むノズル群を特定するためのノズル群探索方法の具体例について説明する。図３０は、異常領域に対応するノズル範囲に属する第１のノズル群を不吐化して複数不吐補正を行った様子を示す模式図である。図３０において不吐化した第１のノズル群は、例えば奇数ノズル群である。説明を簡単にするために、図３０の左端から第１列目の画素列の記録を担当するノズルのノズル番号が「１」、第２列目がノズル番号２という具合に、画素の列番号とノズル番号が一致しているものとする。異常領域は、ノズル番号６から１１の範囲に対応している。異常領域における奇数ノズル群は、ノズル番号７、９及び１１のノズルである。
【０２６２】
図３０の例では、ノズル番号７、９及び１１の奇数ノズル群が不吐化され、不吐化したノズルに隣接ノズルを用いて不吐補正を行う様子が図示されている。この場合、不良ノズルであるノズル番号８のノズルが不吐出補正に使用されている。しかし、補正に用いたノズル番号８のノズルは不良ノズルであることから、適正な補正効果が得られず、スジが視認される画像となる。つまり、奇数ノズル群に対する複数不吐補正モードによる不吐補正は失敗する。
【０２６３】
図３１は、異常領域に対応するノズル範囲に属する第２のノズル群を不吐化して複数不吐補正を行った様子を示す模式図である。図３１において不吐化した第２のノズル群は、例えば偶数ノズル群である。異常領域における偶数ノズル群は、ノズル番号６、８及び１０のノズルである。
【０２６４】
図３１の例では、ノズル番号６、８及び１０の偶数ノズル群が不吐化され、不吐化したノズルに隣接ノズルを用いて不吐補正を行う様子が図示されている。この場合、不良ノズルであるノズル番号８のノズルが不吐化され、他の正常なノズルによって不吐補正が行われることから、不吐補正の効果により、スジが不可視化された良好な画像が得られる。つまり、偶数ノズル群に対する複数不吐補正モードによる不吐補正は成功する。これにより、不良ノズルは偶数ノズル群に属していることが把握される。
【０２６５】
図３０及び図３１によって説明したように、どのノズル群に不良ノズルが属するかは、ノズル群を切り替えて不吐補正を行うことによって判定できる。不良ノズルが不吐化したノズル群に含まれる場合は適切に補正され、含まれない場合はスジとなる。適切に補正されるか、されないかは、画像読取装置によってユーザ画像領域の画像を読み取り、読取画像を解析する検査を行うことにより判定することができる。
【０２６６】
奇数ノズル群を不吐化して補正する補正モードを奇数ノズル群補正モードという。偶数ノズル群を不吐化して補正する補正モードを偶数ノズル群補正モードという。複数不吐補正の処理において、偶数ノズル群不吐補正モードによる補正動作と奇数ノズル群不吐補正モードによる補正動作とを選択的に実施し得る。
【０２６７】
なお、不良ノズルが回復しないと仮定すれば、不良ノズルは偶数ノズル群か奇数ノズル群のどちらかに必ず属しているため、偶数ノズル群補正モード又は奇数ノズル群補正モードのどちらか一方の補正モードで補正を実施すれば、補正後の画像の異常の有無によって、不良ノズルが属するノズル群を特定できる。したがって、例えば、図３０のように奇数ノズル群不吐補正モードによって不吐補正が失敗したことが確認されたら、不良ノズルは偶数ノズル群に属すると判定してもよい。
【０２６８】
奇数ノズル群補正モードと偶数ノズル群補正モードのそれぞれは、Ｘ方向にノズルを１ノズルおきに不吐化する構成となっている。なお、図３０及び図３１では、奇数ノズル群と偶数ノズル群の２種類のノズル群に分けたが、ノズル群の定め方はこの例に限らず、２ノズルおきのノズル群若しくは３ノズルおきのノズル群など、３種類以上のノズル群を用いてもよい。本実施形態の複数不吐補正手段による複数不吐補正は、ノズルのＸ方向の並び順において不連続な複数のノズルを不吐化し、不吐化したノズル以外の残余ノズルを用いて欠落部分の視認性を低下させる補正を行う。
【０２６９】
［不良ノズルを含むノズル群を特定する他の方法］
不良ノズルを含むノズル群を特定する別の方法としては、ノズル群特定のための専用のテストチャートを使用する方法がある。図３２は、ノズル群特定用チャートの一例である。
【０２７０】
図３２において、上から第１段目のパターンは、ブラックのインクを吐出するインクジェットヘッドにおける奇数ノズル群によって記録されるライン群のパターンである。第２段目のパターンは、ブラックのインクを吐出するインクジェットヘッドにおける偶数ノズル群によって記録されるライン群のパターンである。ブラックはＫと表記される。
【０２７１】
第３段目のパターンは、シアンのインクを吐出するインクジェットヘッドにおける奇数ノズル群によって記録されるライン群のパターンである。第４段目のパターンは、シアンのインクを吐出するインクジェットヘッドにおける偶数ノズル群によって記録されるライン群のパターンである。シアンはＣと表記される。
【０２７２】
第５段目のパターンは、マゼンタのインクを吐出するインクジェットヘッドにおける奇数ノズル群によって記録されるライン群のパターンである。第６段目のパターンは、マゼンタのインクを吐出するインクジェットヘッドにおける偶数ノズル群によって記録されるライン群のパターンである。マゼンタはＭと表記される。ノズル群特定用チャートには、ノズル群間で吐出するインクの色が異なるものが含まれている。
【０２７３】
なお、図３２は、模式的に示した拡大図であり、一部のライン群のみを示しているが、インクジェットヘッドにおける全ノズルを使用してノズル群特定用チャートが印刷される。
【０２７４】
図３２に例示されているように、ノズル群ごとに異なる段構成を持つラインチャートを出力し、どの段で異常が発生したかを特定して、対応するノズル群と関連付けることにより、不良ノズルを含むノズル群を特定することが可能である。
【０２７５】
ユーザ画像領域の検査から画像に異常があることが検出された際に、何色のノズルに異常があるのか特定できる場合と、できない場合とがあり得る。何色のノズルに異常があるのか特定できない場合には、図３２のようなノズル群特定用チャートを印刷することにより、不良ノズルの色と不良ノズルが属するノズル群を判定することができる。
【０２７６】
〈単独ノズル特定方法について〉
次に、不良ノズルを特定するための単独ノズル特定方法の具体例について説明する。不良ノズルである単独ノズルは、ノズル群探索中、或いは、ノズル群探索後に、ノズル検査領域に描画される不良ノズル検知パターンの検査結果から判定することが可能である。
【０２７７】
さらに別の方法として、ユーザ画像上において、複数不吐補正を実施しているノズル群に属する不吐化ノズルについて１つずつ不吐化を順次解除して、それぞれの補正後の画像を解析して画像の異常を検出することにより、不良ノズルを特定することが可能である。この場合、不良ノズルを解除したときのみ画質異常の損紙が発生することになるが、不吐化を解除する制御とユーザ画像領域の画像解析から不良ノズルを特定し得る。
【０２７８】
ユーザ画像上から不良ノズルを特定する方法について、図３３から図３６を参照して説明する。
【０２７９】
図３３は、図３１で説明したノズル群の複数不吐補正が成功している状態からノズル番号６の不吐化を解除した様子が示されている。図３３の例では、異常領域における不良ノズルを含むノズル群はノズル番号６、８及び１０の３つのノズルである。したがって、不良ノズルの候補ノズルはこれら３つのノズルである。ノズル番号６、８及び１０の順番に、候補ノズル１、２及び３と呼ぶことにする。図３３に示した「１」、「２」及び「３」の表示は、それぞれ候補ノズル１、２及び３の位置を表している。図３４から図３６において同様である。
【０２８０】
図３３に示すように、候補ノズル１の不吐化を解除し、かつ候補ノズル２及び３の不吐化は維持して候補ノズル２及び３のノズル群に対する複数不吐補正モードによる補正を行うと、不吐補正の効果により、スジが不可視化された良好な画像が得られる。つまり、候補ノズル１は不良ノズルではないことが判定され、不良ノズルは未特定のままである。
【０２８１】
図３４は、図３１で説明したノズル群の複数不吐補正が成功している状態から候補ノズル２、つまりノズル番号８の不吐化を解除した様子が示されている。図３４に示すように、候補ノズル１の不吐化を解除し、かつ候補ノズル１及び３の不吐化は維持して候補ノズル１及び３のノズル群に対する複数不吐補正モードによる補正を行うと、不吐化を解除した候補ノズル２が不良ノズルであることから、スジが視認される画像となる。つまり、不吐補正は失敗し、候補ノズル２が不良ノズルであることが特定される。
【０２８２】
図３５は、図３１で説明したノズル群の複数不吐補正が成功している状態から候補ノズル３、つまりノズル番号１０の不吐化を解除した様子が示されている。図３５に示すように、候補ノズル３の不吐化を解除し、候補ノズル１及び２の不吐化は維持して候補ノズル１及び２のノズル群に対する複数不吐補正モードによる補正を行うと、不吐補正の効果により、スジが不可視化された良好な画像が得られる。つまり、候補ノズル３は不良ノズルではないことが判定され、不良ノズルは未特定となる。
【０２８３】
図３３、図３４及び図３５の実施順番は問わない。候補ノズル１、２及び３の順番に不吐化を順次解除する場合、候補ノズル２の不吐化を解除した段階で不良ノズルが特定されるため、図３５で説明した候補ノズル３の不吐化を解除する複数不吐補正の実施は省略することができる。つまり、不良ノズルが特定されたら、残りの候補ノズルについての処理は省略することができる。
【０２８４】
また、図３３において候補ノズル１が不良ノズルではないと確定した場合に、次の候補ノズル２の不吐化を解除する際に、候補ノズル１について不吐化しなくてもよい。候補ノズルのうち不良ノズルではないことが確認されたノズルは、以後、不吐化を解除してよい。不良ノズルの特定完了後は、特定した不良ノズルを残して他のノズルは不吐化を解除することが望ましい。そして、特定した不良ノズルを不吐化して単独不吐補正モードによる補正を行う。
【０２８５】
図３６は、特定された不良ノズルを不吐化して単独不吐補正を実施した様子を示している。図３６では、候補ノズル１及び３の不吐化が解除されている。不良ノズルが不吐化され単独不吐補正の効果により、スジが不可視化された良好な画像が得られる。
【０２８６】
上述のような方法を採用することにより、損紙を最低限に抑えながらユーザ画像上に発生するスジを特定し、補正することが可能である。
【０２８７】
〈補正パラメータの設定方法の例〉
単独不吐補正モード及び複数不吐補正モードのどちらの補正方法も、ノズルの異常に起因するスジの視認性を抑制するための画像補正方法として、ノズルの異常を検出して、異常箇所に対応するノズルを不吐化し、不吐化したノズルの部位を近傍のノズルからの打滴で埋める方法を使用する。不良ノズルによって発生するスジを補正する方法としては、例えば特許第５５９７６８０号に示された方法を使用することができる。特許第５５９７６８０号に示された方法においては、各ノズルが不吐であるケースを模擬したチャートを出力し、このチャートを平坦化するように不吐ノズルの周辺ノズルの補正強度を決定することで、不吐発生時の補正パラメータを決定している。
【０２８８】
図３７は、単独不吐補正パラメータ算出用チャート２５０の模式図である。実際には、同図のような白スジは視認できるものではないが、説明のためにわかりやすく表現している。また、図３７においては、画素のセルが描かれているが、実際のチャートにはセルの区画線は存在しない。図３８も同様である。
【０２８９】
図３７に示された単独不吐補正パラメータ算出用チャート２５０は、最適化したい階調におけるベタ画像領域に対して、Ｎ本間隔に不吐が模擬的に与えられた模擬不吐領域を有するパターンがＮ段配置されている。Ｎは自然数であり、図３７では、Ｎ＝５の例が示されている。「ベタ画像領域」とは「一定濃度領域」を意味している。また、各模擬不吐領域に隣接する領域である不吐補正領域は、一定濃度領域の濃度に対して不吐補正パラメータが適用された濃度となっている。
【０２９０】
この単独不吐補正パラメータ算出用チャート２５０を形成するために、チャートの１つの段のデータは、用紙の搬送方向に直交する方向にＮ個おきの第１のノズルがインクを吐出せずに模擬不吐領域を形成し、第１のノズルの両隣の第２のノズルが不吐補正パラメータによって補正された指令値によって不吐補正領域を形成し、第１のノズル及び第２のノズル以外の第３のノズルが補正されない指令値によって一定濃度領域を形成するデータとなっている。第１のノズルは「模擬不吐ノズル」に相当する。第２のノズルは「不吐補正ノズル」に相当する。
【０２９１】
すなわち、単独不吐補正パラメータ算出用チャート２５０は、第１のノズルにより形成される模擬不吐領域と、第１のノズルの両隣のノズルである第２のノズルにより形成される不吐補正領域と、第１のノズル及び第２のノズル以外の第３のノズルにより形成される一定濃度領域と、を有し、模擬不吐領域が第１の方向に所定の間隔で配置された１つの段が第１の方向に直交する第２の方向に複数段配置され、複数段の模擬不吐領域は第１の方向についてそれぞれ異なる位置に配置されている。
【０２９２】
また、この単独不吐補正パラメータ算出用チャート２５０のデータは、第１のノズルにはインクを吐出させず、第３のノズルには所定の濃度の指令値でインクを吐出させ、第２のノズルには所定の濃度の指令値を隣接する第１のノズルの不吐補正パラメータで補正した指令値でインクを吐出させるデータである。
【０２９３】
具体的には、最適化したい階調の指令値をＤ、第１のノズルのノズル番号をｉとすると、第１のノズルにはインク吐出させず、ノズル番号ｉ−１、ｉ＋１の第２のノズルには指令値をＤ×ｍｉとして吐出させ、ノズル番号ｉ−Ｎ＋１、…、ｉ−３、ｉ−２、ｉ＋２、ｉ＋３、…、ｉ＋Ｎ−１、の第３のノズルには指令値をＤとして吐出させるデータとなっている。ノズル番号は、インクジェットヘッドにおけるＸ方向のノズルの並び順に従い各ノズルに対して一意に付与される整数による番号である。ｍｉはノズルごとの補正強度を示す不吐補正パラメータである。
【０２９４】
また、単独不吐補正パラメータ算出用チャートの各段は、第１のノズルがノズル配列方向にずらして配置されている。図３７の例では、第１のノズルのノズル番号が、段毎にｉ、ｉ＋１、ｉ＋２、ｉ＋３、ｉ＋４のように１つずつ配置されている。このように、各段の第１のノズルをノズル配列方向にずらして配置することで、すべてのノズルを模擬不吐ノズルにすることができる。これにより、すべてのノズルの不吐補正パラメータを評価することができる。
【０２９５】
単独不吐補正パラメータ算出用チャート２５０には、図３７に示すようにレファレンス濃度段２５１を設けてもよい。レファレンス濃度段２５１とは、最適化したい階調における一定濃度領域をすべてのノズルで描画したものである。レファレンス濃度段２５１を設けた場合、補正強度評価値として、模擬不吐領域近傍のスキャン濃度とレファレンス濃度段のスキャン濃度との差分を用いることができる。これにより、画像読取装置のシェーディングや解像度のノズル方向へのムラを相殺することができ、シングルパス方式特有の低周波スジムラの影響を低減することができる。なお、スキャン濃度は読取画像信号を基に算出される平均濃度とすることができる。
【０２９６】
図３７の例では、模擬不吐ノズルの両隣のノズルを不吐補正ノズルとし、この不吐補正ノズルに模擬不吐ノズルの不吐補正パラメータを適用しているが、不吐補正ノズルはこの態様に限られない。例えば、模擬不吐ノズルの両隣のノズルに加え、さらにそのノズルに隣接するノズルを不吐補正ノズルとしてもよい。すなわち、ノズル番号ｉのノズルを模擬不吐ノズルとした場合に、ノズル番号ｉ−２、ｉ−１、ｉ＋１、ｉ−２のノズルを不吐補正ノズルとする態様も可能である。
【０２９７】
本実施形態においては、連続印刷を開始する前に、予め図３７のような単独不吐補正パラメータ算出用チャート２５０を用いて各ノズルの単独不吐補正パラメータを求めておき、ノズルに異常が発生した際に、その不良ノズルを不吐化し、前述の補正パラメータを使用して補正することでノズル異常に起因するスジを不可視化することが可能である。
【０２９８】
単独不吐補正モードの補正パラメータは、上述の方法により生成することが可能である。複数不吐補正モードの補正パラメータは、単独不吐補正モードの補正パラメータを流用することが可能である。
【０２９９】
或いはまた、図３８に示すように複数不吐補正モード用の複数不吐補正パラメータ算出用チャート２５４を出力し、複数不吐補正モード専用の補正パラメータを求める構成も可能である。図３８に例示した複数不吐補正パラメータ算出用チャート２５４は、最適化したい階調におけるベタ画像領域に対して、偶数ノズル群を模擬不吐ノズルに設定した模擬不吐領域を有するパターンと、奇数ノズル群を模擬不吐ノズルに設定した模擬不吐領域を有するパターンと、が２段に配置されている。また、複数不吐補正パラメータ算出用チャート２５４は、レファレンス濃度段２５１を有している。偶数ノズル群とは偶数のノズル番号のノズル群を指す。奇数ノズル群とは奇数のノズル番号のノズル群を指す。
【０３００】
図３８のようなチャートを用いることにより、複数不吐補正モードに関して、より精度の高い補正パラメータを求めることができる。
【０３０１】
［スジ検知後の不良ノズル特定結果情報のユーザへの提供］
スジ検知処理によってスジが検知され、その後に不良ノズル特定処理が行われた場合に、スジ検知結果及び不良ノズル特定成否結果を示す情報をユーザに通知することが好ましい。制御装置１００は、スジ検知処理及び不良ノズル特定処理の実施後に処理結果を示す情報を可視化してユーザに提供する情報提供機能を備える。
【０３０２】
図３９は、スジ検知後の不良ノズル特定成否結果をユーザに知らせる情報表示画面２６０の表示内容の一例を示すイメージ図である。
【０３０３】
スジ検知後に不良ノズル特定処理が行われた場合、図２で説明した表示部１１４に、図３９のような情報表示画面２６０が表示される。
【０３０４】
ユーザに提供することが好ましい情報項目と要件を列記すると、次のとおりである。
【０３０５】
<１>  インクジェット印刷装置が出力した画像が表示される。
【０３０６】
<２>  表示した画像上にスジ検知箇所が可視化される。
【０３０７】
<３>  可視化された各スジに対し、スジ発生箇所を示す情報、スジの発生タイミングを示す情報、及び、不良ノズル特定結果を示す情報が表示される。
【０３０８】
スジの発生タイミングを示す情報とは、連続印刷における何枚目であるかを示す情報である。不良ノズル特定結果を示す情報には、不良ノズルが発生したインク色の情報、不良ノズルのノズル番号、及び、不良ノズルの特定の成否を示す特定成否情報のうち、少なくとも１つの情報が含まれる。不良ノズルが発生したインク色のことを「不良ノズルの発生色」という。
【０３０９】
図３９の例では、情報表示画面２６０の中央部に出力画像２６１の画像内容を示す情報が表示される。また、表示された出力画像２６１上の画像欠陥箇所であるスジ検知箇所にスジを可視化したスジ可視化情報２６２、２６４が表示される。さらに、スジ可視化情報２６２、２６４の各々に対して、スジ発生箇所を示す情報、スジの発生タイミングを示す情報、不良ノズルの発生色を示す情報、及び不良ノズルのノズル番号を示す情報を含んだふきだし形式の囲み領域２６６、２６８が付された表示が行われる。
【０３１０】
スジ発生箇所を示す情報は、例えば、画像の端からの距離とされる。なお、図３９において、スジ可視化情報２６４については、不良ノズルの発生色の特定に失敗し、かつノズル番号の特定に失敗している例が示されており、発生色及びノズル番号の各々について、特定失敗であることを示す情報が表示されている。スジ可視化情報は画像欠陥可視化情報の一例に相当する。
【０３１１】
図３９においては、出力画像の情報、スジ検知箇所を可視化したスジの可視化情報、スジ発生箇所を示す情報、スジの発生タイミングを示す情報、及び、不良ノズル特定結果を示す情報のすべてをユーザに提供する形態を例示したが、これらの情報のうち少なくとも１つの情報が可視化されてユーザに提供されればよい。
【０３１２】
図２で説明した画像処理部１２０は、画像検査部１４０の検査結果を用いて、図３９に例示したような情報表示画面２６０を表示部１１４に表示させるための表示用データを生成する。画像処理部１２０は、表示用データを生成する処理を行う図示せぬ表示用データ生成部を含む。図３９に例示した情報表示画面２６０を表示する表示部１１４並びに表示用データを生成する処理部を含んだ画像処理部１２０は情報提供部の一例に相当する。
【０３１３】
《連続印刷中におけるテストチャートの出力の割り込み処理について》
連続印刷の途中に割り込みで不良ノズル特定チャートその他のテストチャートを出力するという処理は、第１実施形態及び第２実施形態で説明した不良ノズル特定処理（図１２及び図１８のステップＳ１６〜ステップＳ２２）と必ずしも併用する必要はない。
【０３１４】
第１実施形態及び第２実施形態で説明した不良ノズル特定処理と組み合わせることなく、テストチャートの出力の割り込み処理を単独で使用する場合の処理フローの一例を図４０のフローチャートに示す。
【０３１５】
図４０は、テストチャートの出力の割り込み処理を含む印刷処理の他の例を示すフローチャートである。
【０３１６】
図４０に示すフローチャートにおいて図１２に示したフローチャートと同一又は類似のステップには同一のステップ番号を付し、その説明は省略する。図４０におけるステップＳ１４〜ステップＳ２０は、図１１のステップＳ５４２〜Ｓ５４６と同様の処理である。図４０のステップＳ２０にてスジが検知されたと判定されると、ステップＳ４０に移行する。
【０３１７】
図４０のフローチャートを実行する装置形態の場合、画像検査部１４０の不良ノズル特定処理部１４６及び不良ノズル検知結果履歴データベース１６０は必要とされない。
【０３１８】
図４０のフローチャートに従う処理方法によれば、［課題３］で説明したスジ検知処理の欠点を補い、早期に的確な画質補正を行うことができる。
【０３１９】
〈チャート出力割り込み処理の応用例〉
連続印刷の途中に割り込みでテストチャートの出力を行う処理を「チャート出力割り込み処理」とよぶ。チャート出力割り込み処理によって出力するテストチャートの種類は、図６及び図７で例示した不良ノズル特定チャートに限らない。
【０３２０】
図３７に例示した単独不吐補正パラメータ算出用チャート２５０、図３８に例示した複数不吐補正パラメータ算出用チャート２５４その他のチャート、濃度補正用の補正パラメータを調整するための調整用チャート、その他の各種のテストチャートがチャート出力割り込み処理によって出力されてもよい。
【０３２１】
また、これまで、スジ検知処理によってスジが検知された場合の対処を中心に説明してきた。しかし、印刷中に画質異常が発生した際にテストチャートを割り込みで出力し、異常に対処するという、技術思想は、スジ検知以外の画像処理にも適用できる。スジ以外の画質異常として、例えば、粒状異常、濃度異常、色異常などがありうる。
【０３２２】
本明細書には、次に示すようなインクジェット印刷システムの開示が含まれている。すなわち、シングルパスインクジェット方式によって１種類以上の画像を複数枚連続で印刷する際において、連続印刷の途中で画質異常の発生を検知する機能と、画質異常発生の検知結果に応じて、予定されていた連続印刷の途中に割り込んでテストチャートの出力を行う機能と、を有するインクジェット印刷システムである。
【０３２３】
連続印刷の途中で画質異常の発生を検知する機能は、例えば、出力された印刷画像を画像読取装置によって読み取ることで得られる読取画像と正解画像との差を比較するなどの画像解析を行うことによって画質異常の発生を検知する。
【０３２４】
《オーバーレイ方式によるテストチャートを出力する処理の応用例》
図２０〜図２６を用いて説明したオーバーレイ方式によるテストチャートの出力処理は、第１実施形態及び第２実施形態で説明した不良ノズル特定処理（図１２及び図１８のステップＳ１６〜ステップＳ２２）と必ずしも併用する必要はない。また、オーバーレイ方式によるテストチャートの出力処理は、必ずしもチャート出力割り込み処理において実施されるものとは限らない。
【０３２５】
第１実施形態及び第２実施形態で説明した不良ノズル特定処理と組み合わせることなく、また、チャート出力割り込み処理以外の適宜のタイミングにおいて、オーバーレイ方式によるテストチャートの出力処理を行う形態もありうる。
【０３２６】
図４１は、オーバーレイ方式によるテストチャートの出力を行うための出力用画像データ生成部１９０の機能を提供するブロック図である。
【０３２７】
出力用画像データ生成部１９０は、第１画像処理部２８０と、テストチャート生成部２８２と、第２画像処理部２８４と、画像合成処理部２８６とを含む。
【０３２８】
第１画像処理部２８０は、ユーザ画像の元画像データ２３６に対して、図２１のステップＳ６４で説明した各種画像処理を行う。第１画像処理部２８０の処理を経て生成された画像処理済み印刷画像データ２３７は、画像合成処理部２８６に送られる。
【０３２９】
テストチャート生成部２８２は、オーバーレイ用のテストチャートの元画像データを生成する。テストチャート生成部２８２は、図２１のステップＳ５２で説明したように、印刷画像から検知されたスジ検知情報に基づいて適応的にテストチャート元画像データ２３２を生成してもよいし、事前に準備されたテストチャート元画像データを提供してもよい。テストチャート生成部２８２は、事前に準備されたテストチャート元画像データを記憶しておく記憶部を含んで構成されてもよい。
【０３３０】
第２画像処理部２８４は、テストチャート元画像データ２３２に対して、図２１のステップＳ５４で説明した各種画像処理を行う。第２画像処理部２８４によって行われる第２画像処理は、第１画像処理部２８０によって行われる第１画像処理と、同一の画像処理を適用することも可能であるし、異なる画像処理を適用することも可能である。図２１において説明したとおり、第１画像処理の処理内容と第２画像処理の処理内容を異ならせる構成が好ましい。
【０３３１】
第２画像処理部２８４の処理を経て生成された画像処理済みテストチャート画像データ２３３は、画像合成処理部２８６に送られる。
【０３３２】
画像合成処理部２８６は、図２１のステップＳ６６で説明したオーバーレイ処理を行う。画像合成処理部２８６によって画像処理済み印刷画像データ２３７と、画像処理済みテストチャート画像データ２３３が画像合成され、出力用画像データ２４０が生成される。出力用画像データ２４０を基に、図２の画像記録制御部１２４によってインクジェットヘッド４６Ｃ、４６Ｍ、４６Ｙ、４６Ｋのインク吐出動作が制御され、描画が行われる。
【０３３３】
《コンピュータを画像検査装置として機能させるプログラムについて》
上述の実施形態で説明した画像検査機能を含む画像処理機能並びにインクジェット印刷装置の制御機能をコンピュータに実現させるプログラムをＣＤ−ＲＯＭ（Compact Disc read-only memory）や磁気ディスクその他の有体物たる非一時的な情報記憶媒体であるコンピュータ可読媒体に記録し、この情報記憶媒体を通じてプログラムを提供することが可能である。またこのような有体物たる非一時的な情報記憶媒体にプログラムを記憶させて提供する態様に代えて、インターネットなどの通信ネットワークを利用してプログラム信号をダウンロードサービスとして提供することも可能である。
【０３３４】
また、画像検査機能を含む画像処理機能の一部又は全部をアプリケーションサーバとして提供し、通信ネットワークを通じて処理機能を提供するサービスを行うことも可能である。
【０３３５】
《インクジェットヘッドの吐出方式について》
インクジェットヘッドのイジェクタは、液体を吐出するノズルと、ノズルに通じる圧力室と、圧力室内の液体に吐出エネルギーを与える吐出エネルギー発生素子と、を含んで構成される。イジェクタのノズルから液滴を吐出させる吐出方式に関して、吐出エネルギーを発生させる手段は、圧電素子に限らず、発熱素子や静電アクチュエータなど、様々な吐出エネルギー発生素子を適用し得る。例えば、発熱素子による液体の加熱による膜沸騰の圧力を利用して液滴を吐出させる方式を採用することができる。液体吐出ヘッドの吐出方式に応じて、相応の吐出エネルギー発生素子が流路構造体に設けられる。
【０３３６】
《記録媒体について》
「記録媒体」は、画像の記録に用いられる記録媒体或いは媒体という用語は、用紙、記録用紙、印刷用紙、印刷媒体、印刷媒体、被印刷媒体、画像形成媒体、被画像形成媒体、受像媒体、被吐出媒体など様々な用語で呼ばれるものの総称である。記録媒体の材質や形状等は、特に限定されず、シール用紙、樹脂シート、フィルム、布、不織布、その他材質や形状を問わず、様々なシート体を用いることができる。記録媒体は枚葉の媒体に限らず、連続紙などの連続媒体であってもよい。連続媒体を使用する場合における「複数枚」を印刷するという用語の概念は、連続媒体の異なる領域に対する印刷が複数回行われることを意味する。また、連続媒体を使用する場合、ユーザ画像領域とユーザ画像領域との間に形成される画像間領域が余白部分に相当し、画像間領域が不良ノズル検知用のパターンを記録する第１領域となり得る。
【０３３７】
また、枚葉の記録媒体は、予め規定のサイズに整えられたカット紙に限らず、連続媒体から随時、規定のサイズに裁断して得られるものであってもよい。
【０３３８】
《記録媒体の搬送手段について》
記録媒体を搬送する搬送手段は、図１に例示したドラム搬送方式に限らず、ベルト搬送方式、ニップ搬送方式、チェーン搬送方式、パレット搬送方式など、各種形態を採用することができ、これら方式を適宜組み合わせることができる。
【０３３９】
《変形例１》
上述の実施形態では、画質補正処理の例として、ハーフトーン処理前の画像データについて不吐補正パラメータを適用して信号値の補正を行い、補正後の画像データをハーフトーン処理する形態を例示したが、発明の実施に際して、ハーフトーン処理後のデータを補正する構成を採用してもよい。また、各ノズルの吐出エネルギー発生素子に印加する駆動信号を補正してもよい。
【０３４０】
《変形例２》
上述の実施形態では、シングルパス方式の走査方向であるＹ方向を第１方向とし、第１方向に直交するノズル列方向であるＸ方向を第２方向の一例として説明したが、第２方向は第１方向と交差する方向であればよい。本明細書における「直交」又は「垂直」という用語には、９０°未満の角度、又は９０°を超える角度をなして交差する態様のうち、実質的に９０°の角度をなして交差する場合と同様の作用効果を発生させる態様が含まれる。
【０３４１】
《用語について》
「印刷装置」という用語は、印刷機、プリンタ、印字装置、画像記録装置、画像形成装置、画像出力装置、或いは、描画装置などの用語と同義である。
【０３４２】
「画像」は広義に解釈するものとし、カラー画像、白黒画像、単一色画像、グラデーション画像、均一濃度（ベタ）画像なども含まれる。「画像」は、写真画像に限らず、図柄、文字、記号、線画、モザイクパターン、色の塗り分け模様、その他の各種パターン、若しくはこれらの適宜の組み合わせを含む包括的な用語として用いる。
【０３４３】
「ユーザ画像」とは、ユーザが印刷出力の対象として指定した画像を指す。
【０３４４】
「画像の記録」は、画像の形成、印刷、印字、描画、及びプリントなどの用語の概念を含む。
【０３４５】
「連続印刷中」とは、１種類以上の画像を複数枚連続して印刷を実行している期間中をいう。
【０３４６】
《実施形態及び変形例等の組み合わせについて》
上述の実施形態で説明した構成や変形例で説明した事項は、適宜組み合わせて用いることができ、また、一部の事項を置き換えることもできる。
【０３４７】
以上説明した本発明の実施形態は、本発明の趣旨を逸脱しない範囲で、適宜構成要件を変更、追加、又は削除することが可能である。本発明は以上説明した実施形態に限定されるものではなく、本発明の技術的思想内で同等関連分野の通常の知識を有するものにより、多くの変形が可能である。
【符号の説明】
【０３４８】
１Ａ  インクジェット印刷装置
１０  給紙部
１２  給紙装置
１２Ａ  給紙台
１４  フィーダボード
１６  給紙ドラム
２０  処理液塗布部
２２  処理液塗布ドラム
２３、３３、４３、７４  グリッパ
２４  処理液塗布装置
３０  処理液乾燥部
３２  処理液乾燥ドラム
３４  温風送風機
４０  描画部
４２  描画ドラム
４４  ヘッドユニット
４６Ｃ、４６Ｍ、４６Ｙ、４６Ｋ  インクジェットヘッド
４８  画像読取装置
５０  インク乾燥部
６０  集積部
６２  集積装置
６２Ａ  集積トレイ
７０  チェーングリッパ
７２  チェーン
８０  用紙ガイド
８２  第１用紙ガイド
８４  第２用紙ガイド
９０  温風送風ユニット
１００  制御装置
１０１  インクジェット印刷システム
１１０  システムコントローラ
１１２  通信部
１１４  表示部
１１６  操作部
１１８  情報記憶部
１２０  画像処理部
１２２  搬送制御部
１２４  画像記録制御部
１３０  ＣＰＵ
１３２  ＲＯＭ
１３４  ＲＡＭ
１４０  画像検査部
１４２  不良ノズル検知処理部
１４４  スジ検知処理部
１４６  不良ノズル特定処理部
１５０  媒体搬送機構
１５２  ロータリエンコーダ
１６０  不良ノズル検知結果履歴データベース
１６２Ａ、１６２Ｂ、１６４  囲み枠
１７２  画像取得部
１７４  メモリ
１７６  読取画像取得部
１７８  データベース記憶部
１８０  情報出力部
１９０  出力用画像データ生成部
１９２  不良ノズル検知パターン生成部
１９３  不良ノズル特定チャート生成部
１９４  補正処理部
１９６  ハーフトーン処理部
１９８  データ付加処理部
２００  不良ノズル検知パターン領域抽出部
２０２  画像解析部
２０４  不良ノズル検知結果情報
２１０  計測画像抽出部
２１２  正解画像記憶部
２１４  差分情報生成部
２１６  スジ判断部
２２０  概略ノズル番号推定部
２２２  インク色推定部
２２４  履歴データ照合部
２２６  不良ノズル判断部
２２８  不良ノズル情報記憶部
２３０Ｃ  テストチャート
２３０Ｋ  テストチャート
２３０Ｍ  テストチャート
２３２  テストチャート元画像データ
２３３  テストチャート画像データ
２３６  元画像データ
２３７  印刷画像データ
２３８  ドットパターン画像
２４０  出力用画像データ
２５０  単独不吐補正パラメータ算出用チャート
２５１  レファレンス濃度段
２５４  複数不吐補正パラメータ算出用チャート
２６０  情報表示画面
２６１  出力画像
２６２、２６４  スジ可視化情報
２６６、２６８  囲み領域
２８０  第１画像処理部
２８２  テストチャート生成部
２８４  第２画像処理部
２８６  画像合成処理部
４６０  ラインヘッド
４６２  ノズル
４６４  ノズル列
４７２  ドット
５０２  ユーザ画像
５０４、５０４Ｃ、５０４Ｋ、５０４Ｍ、５０４Ｙ  ラダーパターン
５０６  ライン
５１１、５１２、５１３、５１４、５１５、５１６、５１７、５１８  印刷物
５３０  正解画像
５３２、５４２  ユーザ画像領域
５４０  計測画像
５４４、５４６  スジ
５５０  スジ情報
５６０  読取画像
Ｎｚ３  第３番ノズル
Ｎｚ８  第８番ノズル
Ｐ  用紙
Ｓ１２〜Ｓ２８、Ｓ４０〜Ｓ４４、Ｓ８０  実施形態に係る画像検査方法の処理を含む印刷処理のステップ
Ｓ５２〜Ｓ６６  不良ノズル特定チャート生成処理のステップ
Ｓ１０１〜Ｓ１０５  実施形態に係る不良ノズル特定処理のステップ
Ｓ５１２〜Ｓ５２２  連続印刷中に不良ノズルを特定する処理を行う印刷処理のステップ
Ｓ５４２〜Ｓ５５０  連続印刷中に実施されるスジ検知処理のステップ
【図１】
2018051846.tif 000003
【図２】
2018051846.tif 000004
【図３】
2018051846.tif 000005
【図４】
2018051846.tif 000006
【図５】
2018051846.tif 000007
【図６】
2018051846.tif 000008
【図７】
2018051846.tif 000009
【図８】
2018051846.tif 000010
【図９】
2018051846.tif 000011
【図１０】
2018051846.tif 000012
【図１１】
2018051846.tif 000013
【図１２】
2018051846.tif 000014
【図１３】
2018051846.tif 000015
【図１４】
2018051846.tif 000016
【図１５】
2018051846.tif 000017
【図１６】
2018051846.tif 000018
【図１７】
2018051846.tif 000019
【図１８】
2018051846.tif 000020
【図１９】
2018051846.tif 000021
【図２０】
2018051846.tif 000022
【図２１】
2018051846.tif 000023
【図２２】
2018051846.tif 000024
【図２３】
2018051846.tif 000025
【図２４】
2018051846.tif 000026
【図２５】
2018051846.tif 000027
【図２６】
2018051846.tif 000028
【図２７】
2018051846.tif 000029
【図２８】
2018051846.tif 000030
【図２９】
2018051846.tif 000031
【図３０】
2018051846.tif 000032
【図３１】
2018051846.tif 000033
【図３２】
2018051846.tif 000034
【図３３】
2018051846.tif 000035
【図３４】
2018051846.tif 000036
【図３５】
2018051846.tif 000037
【図３６】
2018051846.tif 000038
【図３７】
2018051846.tif 000039
【図３８】
2018051846.tif 000040
【図３９】
2018051846.tif 000041
【図４０】
2018051846.tif 000042
【図４１】
2018051846.tif 000043